(57)【要約】  空調機は、吸込温度と設定温度（第１設定温度）とに基づいて空調を行う。空調制御装置（３００）は、室内温度と、設定温度とに基づいて、信号出力のオンオフ状態を切り替える制御部（３９０）を備える。温度計測装置（５００）は、室内温度を計測する。接続装置（４００）は、空調制御装置（３００）の信号出力のオンオフ状態と温度計測装置（５００）から取得した室内温度とに基づいてユーザ設定温度を推定し、空調機から取得した吸込温度と、推定した設定温度と室内温度との室内温度差とに基づいて設定温度（第２設定温度）を算出し、算出した設定温度を室内機（１００）へ送信する。空調機は、記憶している設定温度を接続装置（４００）から受信した設定温度に更新する。
2016059671.tif 000002
【特許請求の範囲】
【請求項１】
設置された場所における空間の第１空気温度を計測する温度計測部を有し、前記計測した第１空気温度と、記憶する第１設定温度とに基づいて空調の対象となる空調空間の空調を行う空調機と、
前記空調空間の第２空気温度を計測する温度計測部と、前記計測された第２空気温度と、ユーザにより設定されたユーザ設定温度とに基づいて、信号出力のオンオフ状態を切り替える制御部とを備える空調制御装置と、
前記空調空間の第３空気温度を計測する温度計測装置と、
前記空調機と通信可能に接続され且つ前記空調制御装置と信号線を介して接続されるとともに、前記温度計測装置に通信可能に接続された接続装置と、を備え、
前記接続装置は、
前記信号線を通じて検知した前記空調制御装置の信号出力のオンオフ状態と、前記温度計測装置から取得した前記第３空気温度とに基づいて前記ユーザ設定温度を推定し、
前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信し、
前記空調機は、
前記第１設定温度を前記接続装置から受信した前記第２設定温度に更新する、
空調機制御システム。
【請求項２】
前記空調機が冷房モードで動作している場合、
前記空調制御装置の前記制御部は、
前記信号出力がオン状態の際、前記第２空気温度が、前記ユーザ設定温度よりも予め定めた許容幅だけ低い空気温度下限値よりも高い温度から前記空気温度下限値よりも低い温度に変化したときに前記信号出力をオフ状態に切り替え、
前記信号出力がオフ状態の際、前記第２空気温度が、前記ユーザ設定温度よりも前記許容幅だけ高い空気温度上限値よりも低い温度から前記空気温度上限値よりも高い温度に変化したときに前記信号出力をオン状態に切り替え、
前記接続装置は、
前記空調制御装置の信号出力がオン状態からオフ状態に切り替わったことを検知したときに、前記温度計測装置から取得した前記第３空気温度を前記空気温度下限値と推定し、
前記信号出力がオフ状態からオン状態に切り替わったことを検知したときに、前記温度計測装置から取得した前記第３空気温度を前記空気温度上限値と推定し、
推定した前記空気温度下限値および前記空気温度上限値の平均値を前記ユーザ設定温度と推定し、
前記空調機から取得した前記第１空気温度に、前記推定したユーザ設定温度から前記第３空気温度を差し引いて得られる温度差を加算することにより前記第２設定温度を算出する、
請求項１に記載の空調機制御システム。
【請求項３】
前記空調機が暖房モードで動作している場合、
前記空調制御装置の前記制御部は、
前記信号出力がオン状態の際、前記第２空気温度が、前記ユーザ設定温度よりも予め定めた許容幅だけ高い空気温度上限値よりも低い温度から前記空気温度上限値よりも高い温度に変化したときに前記信号出力をオフ状態に切り替え、
前記信号出力がオフ状態の際、前記第２空気温度が、前記ユーザ設定温度よりも前記許容幅だけ低い空気温度下限値よりも高い温度から前記空気温度下限値よりも低い温度に変化したときに前記信号出力をオン状態に切り替え、
前記接続装置は、
前記空調制御装置の信号出力がオン状態からオフ状態に切り替わったことを検知したときに、前記温度計測装置から取得した前記第３空気温度を前記空気温度上限値と推定し、
前記信号出力がオフ状態からオン状態に切り替わったことを検知したときに、前記温度計測装置から取得した前記第３空気温度を前記空気温度下限値と推定し、
推定した前記空気温度下限値および前記空気温度上限値の平均値を前記ユーザ設定温度と推定し、
前記空調機から取得した前記第１空気温度に、前記推定したユーザ設定温度から前記第３空気温度を差し引いて得られる温度差を加算することにより前記第２設定温度を算出する、
請求項１または２に記載の空調機制御システム。
【請求項４】
前記接続装置は、
一定の時間間隔で、前記空調機から前記第１空気温度を取得するとともに、前記温度計測装置から前記第３空気温度を取得し、
前記第１空気温度および前記第３空気温度を取得する毎に、前記推定したユーザ設定温度と、取得した前記第１空気温度および前記第３空気温度とに基づいて、前記第２設定温度を算出し、算出した前記第２設定温度を前記空調機へ送信する、
請求項２または３に記載の空調機制御システム。
【請求項５】
前記空調機が、冷房モードで動作している場合、
前記接続装置は、
前記推定した空気温度下限値と、前記推定したユーザ設定温度との温度差の絶対値を前記許容幅として推定し、
前記第３空気温度が安定したと判定すると、前記空調制御装置の信号出力のオフ状態を検知した際、前記温度計測装置から取得した前記第３空気温度と前記推定した空気温度下限値との差分の絶対値と、前記推定した許容幅とを比較し、
前記差分の絶対値が前記推定した許容幅よりも小さいとき、前記空調機から前記第１空気温度を取得し、取得した前記第１空気温度に前記推定した許容幅を加算することにより、前記第２設定温度を算出し、算出した前記第２設定温度を前記空調機へ送信し、
前記差分の絶対値が前記推定した許容幅以上であるとき、取得した前記第３空気温度を前記空気温度下限値と推定して、再度ユーザ設定温度を推定する、
請求項４に記載の空調機制御システム。
【請求項６】
前記空調機が、暖房モードで動作している場合、
前記接続装置は、
前記推定した空気温度上限値と、前記推定したユーザ設定温度との温度差の絶対値を前記許容幅として推定し、
前記第３空気温度が安定したと判定すると、前記空調制御装置の信号出力のオフ状態を検知した際、前記温度計測装置から取得した前記第３空気温度と前記空気温度上限値との差分の絶対値と、前記推定した許容幅とを比較し、
前記差分の絶対値が前記推定した許容幅よりも小さいとき、前記空調機から前記第１空気温度を取得し、取得した前記第１空気温度に前記推定した許容幅を差し引くことにより、前記第２設定温度を算出し、算出した前記第２設定温度を前記空調機へ送信し、
前記差分の絶対値が前記推定した許容幅以上であるとき、取得した前記第３空気温度を前記空気温度上限値と推定して、再度ユーザ設定温度を推定する、
請求項４または５に記載の空調機制御システム。
【請求項７】
前記接続装置は、
前記第３空気温度が安定したと判定すると、一定の時間間隔で、前記第１空気温度および前記第３空気温度を取得することを停止する、
請求項５または６に記載の空調機制御システム。
【請求項８】
前記接続装置は、
前記推定したユーザ設定温度と前記第３空気温度との差分の絶対値が予め定めた閾値よりも小さくなったときから一定の判定基準時間だけ経過したときに、前記第３空気温度が安定したと判定する、
請求項５から７のいずれか１項に記載の空調機制御システム。
【請求項９】
前記空調機は、
圧縮機と、
前記第１空気温度と、前記第１設定温度との温度差に基づいて、前記圧縮機の回転数を変化させることにより、前記第１空気温度を前記第１設定温度で維持する圧縮機制御部と、を備える、
請求項１から８のいずれか１項に記載の空調機制御システム。
【請求項１０】
前記温度計測装置は、複数存在し、
前記接続装置は、
複数の前記温度計測装置それぞれから取得した温度の平均値またはメジアンを前記第３空気温度として算出する、
請求項１から９のいずれか１項に記載の空調機制御システム。
【請求項１１】
設置された場所における空間の第１空気温度を計測する温度計測部を有し、前記計測した第１空気温度と、記憶する第１設定温度とに基づいて空調の対象となる空調空間の空調を行う空調機に通信可能に接続され、且つ、前記空調空間の第２空気温度を計測する温度計測部と、前記計測された第２空気温度と、ユーザにより設定されたユーザ設定温度とに基づいて、信号出力のオンオフ状態を切り替える制御部とを備える空調制御装置に信号線を介して接続されるとともに、前記空調空間の第３空気温度を計測する温度計測装置に通信可能に接続された接続装置であって、
前記信号線を通じて検知した前記空調制御装置の信号出力のオンオフ状態と、前記温度計測装置から取得した前記第３空気温度とに基づいて前記ユーザ設定温度を推定し、
前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信する、
接続装置。
【請求項１２】
空調機が、設置された場所における空間の第１空気温度を計測し、前記計測した第１空気温度と、記憶する第１設定温度とに基づいて空調の対象となる空調空間の空調を行い、
空調制御装置が、前記空調空間の第２空気温度を計測し、前記計測した第２空気温度と、ユーザにより設定されたユーザ設定温度とに基づいて、信号出力のオンオフ状態を切り替え、
温度計測装置が前記空調空間の第３空気温度を計測し、
接続装置が、信号線を通じて検知した前記空調制御装置の信号出力のオンオフ状態と、前記温度計測装置から取得した前記第３空気温度とに基づいて前記ユーザ設定温度を推定し、前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信し、
前記空調機が、前記第１設定温度を前記接続装置から受信した前記第２設定温度に更新する、空調機制御方法。
【発明の詳細な説明】
【技術分野】
【０００１】
本発明は、空調機制御システム、接続装置および空調機制御方法に関する。
【背景技術】
【０００２】
従来、北米の住宅・ビル等の空調機および空調関連機器は、サーモスタット（空調制御装置）を利用したものが一般的である。空調関連機器としては、例えば補助熱源やファン等が挙げられる。サーモスタットは、温度設定機能を有し、サーモセンサ（温度計測部）で計測される温度と設定温度とに基づいて、空調機または空調関連機器への電力供給のオンオフを制御して空調機または空調関連機器の動作を制御する。近年では、サーモスタットとして、例えば空調機の運転時間、空調機での消費電力等を表示するもの、或いは空調機の日々の運転時間を記憶し、記憶した日々の運転時間に基づいて空調機の運転スケジュールを自動で設定するものが登場している。また、サーモスタットの結線形式は、標準化されており、異なるメーカ間での互換性が担保されている。【０００３】
また、近年では、インバータ回路が搭載され、インバータ回路により、室内温度と設定温度の温度差に応じて圧縮機の回転数を適宜変更できる空調機が登場している。インバータ回路が搭載された空調機では、室内温度と設定温度との温度差に応じて、適宜圧縮機の回転数を変更できる。具体的には、この種の空調機では、室内温度と設定温度との温度差が小さくなるにつれて圧縮機の回転数を低下させる。これにより、室内温度の変動幅を低減できる。また、この空調機では、室内温度と設定温度との温度差に応じて、圧縮機の回転数を上下させることにより、圧縮機の回転数を必要最小限に抑えることができるので、その分、空調機での消費電力を低減できる。【０００４】
ところで、サーモスタットは、前述のように、空調機に対して電力供給をオンするかオフするかを示す情報のみを送る。従って、インバータ回路が搭載された空調機では、室内温度と設定温度との温度差に基づいて圧縮機の回転数を適宜変更する制御ができず、室内温度の変動幅および空調機での消費電力の低減を十分に図れない。【０００５】
これに対して、サーモスタットとインバータが搭載された空調機とを仲介する仲介装置が提案されている（例えば特許文献１参照）。この仲介装置は、サーモスタットの出力変化が検出されたときに空調機で計測された吸込温度に基づいて、空調機の設定温度を決定する。具体的には、仲介装置は、サーモスタットの出力がオンからオフに変化した際の吸込温度と、サーモスタットの出力がオフからオンに変化した際の吸込温度との平均値を空調目標温度値として算出する。そして、仲介装置は、算出した空調目標温度値を空調機へ送信する。一方、空調機は、吸込温度センサで計測される吸込温度が、仲介装置から受信した空調目標温度値となるように、圧縮機の回転数を段階的に調整する。
【先行技術文献】
【特許文献】
【０００６】
【特許文献１】特許第５１５７５３２号公報
【発明の概要】
【発明が解決しようとする課題】
【０００７】
ところで、床下、天井裏、屋外等に１台の空調機を設置し、この１台の空調機から、ダクトを通じて各部屋に空気を送る空調方式が知られている。このような空調方式では、空調機が設置されている周囲の空気温度とサーモスタットが設置されている部屋の室内温度が大きく異なる場合もある。この場合、特許文献１に記載の仲介装置のように、空調機により計測された吸込温度に基づいて空調機の設定温度を決定する技術では、室内温度を設定温度に効率的に収束させることは困難である。【０００８】
本発明は、上記事由に鑑みてなされたものであり、空調機の周囲の空気温度と空調制御装置が設置されている場所の空気温度が異なる場合でも、効率的な空調を行うことができる空調機制御システム等を提供することを目的とする。
【課題を解決するための手段】
【０００９】
上記目的を達成するために、本発明に係る空調機制御システムは、
設置された場所における空間の第１空気温度を計測する温度計測部を有し、前記計測した第１空気温度と、記憶する第１設定温度とに基づいて空調の対象となる空調空間の空調を行う空調機と、
前記空調空間の第２空気温度を計測する温度計測部と、前記計測された第２空気温度と、ユーザにより設定されたユーザ設定温度とに基づいて、信号出力のオンオフ状態を切り替える制御部とを備える空調制御装置と、
前記空調空間の第３空気温度を計測する温度計測装置と、
前記空調機と通信可能に接続され且つ前記空調制御装置と信号線を介して接続されるとともに、前記温度計測装置に通信可能に接続された接続装置と、を備え、
前記接続装置は、
前記信号線を通じて検知した前記空調制御装置の信号出力のオンオフ状態と、前記温度計測装置から取得した前記第３空気温度とに基づいて前記ユーザ設定温度を推定し、
前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信し、
前記空調機は、
前記第１設定温度を前記接続装置から受信した前記第２設定温度に更新する。
【発明の効果】
【００１０】
本発明では、接続装置は、空調制御装置の信号出力のオンオフ状態と、温度計測装置により計測された第３空気温度とに基づいてユーザ設定温度を推定する。そして、接続装置は、空調機により計測された第１空気温度と、推定したユーザ設定温度と第３空気温度との温度差とに基づいて第２設定温度を算出し、空調機に送信する。これにより、空調機に適切な設定温度を設定することができるため、効率的な空調が実現できる。
【図面の簡単な説明】
【００１１】
【図１】本発明の一実施の形態に係る空調機制御システムの概略構成図である。
【図２】本実施の形態に係る室内機、室外機および接続装置の概略構成図である。
【図３】本実施の形態に係る空調制御装置の概略構成図である。
【図４】本実施の形態に係る接続装置の概略構成図である。
【図５】本実施の形態に係るスイッチ制御処理の流れの一例を示すフローチャートである。
【図６】本実施の形態に係る空調機を冷房モードで動作させる場合の空調機制御処理の流れの一例を示すフローチャートである。
【図７】本実施の形態に係る空調機が冷房モードで動作する場合の、室内温度、スイッチ、室内温度差、圧縮機回転数および吸込温度の関係を示すタイムチャートである。
【図８】本実施の形態に係る空調機を冷房モードで動作させる場合の空調機制御処理の流れの一例を示すフローチャートである。
【図９】本実施の形態に係る空調機を冷房モードで動作させる場合の空調機制御処理の流れの一例を示すフローチャートである。
【図１０】本実施の形態に係る空調機を暖房モードで動作させる場合の空調機制御処理の流れの一例を示すフローチャートである。
【図１１】本実施の形態に係る空調機が暖房モードで動作する場合の、室内温度、スイッチ、室内温度差、圧縮機回転数および吸込温度の関係を示すタイムチャートである。
【図１２】本実施の形態に係る空調機を暖房モードで動作させる場合の空調機制御処理の流れの一例を示すフローチャートである。
【図１３】本実施の形態に係る空調機を冷房モードで動作させる場合の空調機制御処理の流れの一例を示すフローチャートである。
【図１４】本実施の形態の比較例に係る空調制御装置と空調機との接続例を示す図である。
【図１５】本実施の形態の比較例に係る空調機が冷房モードで動作する場合の、室内温度、スイッチおよび圧縮機回転数の関係を示すタイムチャートである。
【図１６】本実施の形態の変形例に係る空調機制御システムの概略構成図である。
【図１７】本実施の形態の変形例に係る室内温度取得処理の流れの一例を示すフローチャートである。
【図１８】本実施の形態の変形例に係る空調機を冷房モードで動作させる場合の空調機制御処理の流れの一例を示すフローチャートである。
【図１９】本実施の形態の変形例に係る空調機が冷房モードで動作する場合の、室内温度、スイッチ、室内温度差および圧縮機回転数の関係を示すタイムチャートである。
【図２０】本実施の形態の変形例に係る空調機を冷房モードで動作させる場合の空調機制御処理の流れの一例を示すフローチャートである。
【図２１】本実施の形態の変形例に係る空調機が冷房モードで動作する場合の、室内温度、スイッチ、室内温度差および圧縮機回転数の関係を示すタイムチャートである。
【発明を実施するための形態】
【００１２】
以下、本発明の実施の形態について添付図面を参照しながら説明する。
【００１３】
本実施の形態に係る空調システムは、例えば、住宅等の建物で用いられる空調システムである。空調システムは、図１に示すように、室内機１００と室外機２００とから構成される空調機と、空調制御用のユーザインタフェースである空調制御装置３００と、接続装置４００と、空調制御装置３００の近傍に設置された温度計測装置５００と、を備える。
【００１４】
室内機１００と室外機２００とは冷媒が循環する冷媒配管Ｄ１０を介して接続されるとともに、通信線Ｌ２０を介して互いに通信可能に接続される。室内機１００は、図２に示すように、熱交換器１１０と、温度計測部１２０と、通信インタフェース（Ｉ／Ｆ）部１３０と、を有する。室内機１００は、ダクトＤ２０を通じて、空調の対象となる建物の各部屋（例えば部屋Ｓ）へ空気（冷気または暖気）を送出する。
【００１５】
温度計測部１２０は、室内機１００が設置された場所の空気温度を計測する。より詳細には、室内機１００の筐体（図示せず）内に空気を吸い込む際の吸込温度（第１空気温度）ＴＡを計測する。通信Ｉ／Ｆ部１３０は、通信線Ｌ１０を介して接続装置４００に接続されるとともに、通信線Ｌ２０を介して室外機２００に接続されている。通信Ｉ／Ｆ部１３０は、接続装置４００から送られてきたデータを受信すると、かかるデータを通信線Ｌ２０を通じて室外機２００へ送信する。温度計測部１２０は、計測した吸込温度ＴＡを通信Ｉ／Ｆ部１３０および通信線Ｌ１０を通じて接続装置４００へ送信する。また、温度計測部１２０は、計測した吸込温度ＴＡを通信Ｉ／Ｆ部１３０および通信線Ｌ２０を通じて室外機２００へ送信する。
【００１６】
室外機２００は、熱交換器２１０と、冷媒配管Ｄ１０に介挿された圧縮機２２０および流れ方向変更部２３０と、制御部２４０と、設定温度（第１設定温度）Ｔｓ２を記憶する設定温度記憶部２５０と、通信Ｉ／Ｆ部２６０と、を有する。熱交換器２１０、圧縮機２２０および流れ方向変更部２３０は、冷媒配管Ｄ１０を介して室内機１００の熱交換器１１０と接続されている。通信Ｉ／Ｆ部２６０は、通信線Ｌ２０を介して室内機１００に接続されている。
【００１７】
流れ方向変更部２３０は、例えば三方弁を含む複数種類の弁を組み合わせて構成され、冷媒配管Ｄ１０を流れる冷媒の流れ方向を変化させる。流れ方向変更部２３０は、制御部２４０から入力される制御信号に基づいて、冷房モードと暖房モードとで、冷媒配管Ｄ１０を流れる冷媒の流れ方向が逆向きとなるようにする。
【００１８】
制御部２４０は、例えばＣＰＵ（Ｃｅｎｔｒａｌ  Ｐｒｏｃｅｓｓｉｎｇ  Ｕｎｉｔ）から構成される。制御部２４０は、圧縮機２２０の回転数を制御することにより、冷媒配管Ｄ１０を通じて循環する冷媒の流量を段階的に制御することができる。また、制御部２４０は、接続装置４００から送信され、室内機１００を介して受信したデータ（各種コマンドや設定温度）に基づいて、圧縮機２２０の動作開始または動作停止、並びに圧縮機２２０の動作モード（冷房モードまたは暖房モード）の制御を行い、また設定温度Ｔｓ２の更新を行う。
【００１９】
設定温度記憶部２５０は、例えばフラッシュメモリ等の書き換え可能な不揮発性メモリから構成される。制御部２４０は、接続装置４００から送られた設定温度が格納されたデータを受信すると、設定温度記憶部２５０に記憶される設定温度Ｔｓ２を受信したデータに格納されている設定温度に更新する。
【００２０】
制御部２４０は、現在の運転モードと、設定温度Ｔｓ２と、吸込温度ＴＡとに基づいて、圧縮機２２０の回転数を制御する。具体的には、制御部２４０は、設定温度Ｔｓ２と吸込温度ＴＡとの差に応じて、圧縮機２２０の回転数を制御する。制御部２４０は、設定温度Ｔｓ２と吸込温度ＴＡの温度差が大きくなるにつれて、圧縮機２２０の回転数を上昇させる。これにより、室内の冷房または暖房の強度が上昇する。一方、制御部２４０は、設定温度Ｔｓ２と吸込温度ＴＡの温度差が小さくなるにつれて、圧縮機２２０の回転数を下降させる。これにより、室内の冷房または暖房の強度が低下する。そして、制御部２４０は、設定温度Ｔｓ２と吸込温度ＴＡとが実質的に等しくなると、圧縮機２２０の回転数を最小回転数で維持する。これにより、吸込温度ＴＡが略一定に維持される。
【００２１】
空調制御装置３００は、例えば、サーモスタットから構成され、部屋（例えば部屋Ｓ）の壁面等に設置される。空調制御装置３００は、図３に示すように、空調機の動作モード等を切り替える際にユーザが操作する操作部３１０と、表示部３２０と、温度計測部３３０と、記憶部３４０と、電源入力部３５０と、電源部３６０と、信号出力部３７０と、スイッチアレイ部３８０と、を備える。
【００２２】
操作部３１０は、例えば、押し釦（図示せず）を含んで構成される。ユーザは、押し釦を適宜押下して操作部３１０を操作することにより、空調機の動作モードを切り替えたり、室内の設定温度（ユーザ設定温度）Ｔｓを変更したりすることができる。
【００２３】
表示部３２０は、例えばＬＣＤ（Ｌｉｇｕｉｄ  Ｃｒｙｓｔａｌ  Ｄｉｓｐｌａｙ）から構成される。表示部３２０は、制御部３９０から入力される情報に基づいて、空調機の動作モード、室内の設定温度Ｔｓおよび温度計測部３３０により計測される室内温度（第２空気温度）Ｔ１等を表示する。
【００２４】
温度計測部３３０は、例えば熱電対またはサーミスタ等を含んで構成される。温度計測部３３０は、空調制御装置３００の周囲の室内温度Ｔ１を計測し、計測した温度を制御部３９０へ出力する。空調制御装置３００が部屋の壁面に設置されている場合、温度計測部３３０は、空調制御装置３００が設置されている部屋の室内温度Ｔ１を計測する。
【００２５】
記憶部３４０は、例えばフラッシュメモリ等の書き換え可能な不揮発性メモリから構成される。記憶部３４０は、空調制御装置３００が設置された部屋の設定温度Ｔｓを示す設定温度情報と、部屋の設定温度Ｔｓに対する室内温度Ｔ１の変動の許容幅△Ｔ１を示す許容幅情報と、空調機の動作モードを示す動作モード情報と、を記憶している。
【００２６】
電源入力部３５０は、図１および図３に示すように、Ｒ端子（電圧端子）およびＣ端子（コモン端子）を有し、接続装置４００から導出された電源線ＰＬ１０に接続するための端子台から構成される。電源入力部３５０には、接続装置４００から電源線ＰＬ０を通じて、例えば２４Ｖの交流電力が供給される。
【００２７】
電源部３６０は、例えば、電源入力部３５０から入力される交流電力を直流電力に変換する平滑回路（図示せず）と、平滑回路から入力される直流電力の電圧を変換する降圧チョッパ回路等の電圧変換回路（図示せず）と、を有するＡＣ−ＤＣコンバータから構成される。電源部３６０は、例えば、電源入力部３５０から入力される２４Ｖの交流電力を５Ｖの直流電力に変換して、制御部３９０へ出力する。
【００２８】
信号出力部３７０は、信号線Ｒ１０が接続される端子台から構成される。この信号出力部３７０としては、例えば、北米で一般的に用いられているサーモスタット用の結線方法に適合する端子台を用いることができる。この場合、信号出力部３７０は、図３に示すように、換気扇接続用のＧ端子と、暖房装置接続用のＷ１端子およびＷ２端子と、冷房装置接続用のＹ１端子およびＹ２端子と、を有する。
【００２９】
スイッチアレイ部３８０は、例えば、複数のスイッチＳＷＧ、ＳＷＷ１、ＳＷＷ２、ＳＷＹ１、ＳＷＹ２を含んで構成される。複数のスイッチＳＷＧ、ＳＷＷ１、ＳＷＷ２、ＳＷＹ１、ＳＷＹ２は、例えば機械式リレーまたは半導体リレーから構成される。スイッチアレイ部３８０は、制御部３９０から入力される制御信号に基づいて、複数のスイッチＳＷＧ、ＳＷＷ１、ＳＷＷ２、ＳＷＹ１、ＳＷＹ２それぞれをオンオフさせる。ここで、スイッチアレイ部３８０が、例えば、スイッチＳＷＷ１のみをオン状態にし、他のスイッチＳＷＧ、ＳＷＷ２、ＳＷＹ１、ＳＷＹ２をオフ状態にしたとする。この場合、信号出力部３７０のＷ１端子のみに、２４Ｖの交流電力が印加される。
【００３０】
制御部３９０は、例えばＣＰＵから構成される。制御部３９０は、操作部３１０からの入力に応じて、表示部３２０の表示内容を制御したり、記憶部３４０に記憶されている設定温度Ｔｓを変更したりする。また、制御部３９０は、温度計測部３３０から取得した空調制御装置３００の周囲の室内温度（第２空気温度）Ｔ１と、設定温度Ｔｓとの関係に応じて、信号出力部３７０の信号出力のオンオフ状態を切り替える。具体的には、制御部３９０は、スイッチアレイ部３８０の複数のスイッチＳＷＧ、ＳＷＷ１、ＳＷＷ２、ＳＷＹ１、ＳＷＹ２それぞれのオンオフ状態を制御することにより、信号出力部３７０の各端子の信号出力のオンオフ状態を切り替える。
【００３１】
接続装置４００は、図１および図４に示すように、空調制御装置３００に信号線Ｒ１０を介して接続される信号入力部４１０と、電源出力部４２０と、外部電源１０００に電源線ＰＬ０を介して接続される電源入力部４３０と、温度入力部４４０と、通信Ｉ／Ｆ部４５０と、電源部４６０と、制御部４７０と、記憶部４８０と、を備える。
【００３２】
信号入力部４１０は、例えば端子台から構成される。信号入力部４１０は、図４に示すように、空調制御装置３００の信号出力部３７０の各端子に対応して、Ｇ端子、Ｗ１端子、Ｗ２端子、Ｙ１端子およびＹ２端子を有する。
【００３３】
電源出力部４２０は、例えばＲ端子（電圧端子）およびＣ端子（コモン端子）を有する端子台から構成される。電源出力部４２０は、空調制御装置３００の電源入力部３５０と、電源線ＰＬ１０を介して接続されている。電源出力部４２０は、電源入力部４３０から入力された交流電力を、電源線ＰＬ１０を通じて、そのまま電源入力部３５０へ出力する。
【００３４】
電源入力部４３０は、例えばＲ端子（電圧端子）およびＣ端子（コモン端子）を有し、外部電源１０００から導出された電源線ＰＬ０に接続するための端子台から構成される。電源入力部４３０は、外部電源１０００から電源線ＰＬ０を通じて交流電力の供給を受ける。
【００３５】
温度入力部４４０は、例えば端子台またはコネクタから構成される。温度入力部４４０は、温度計測装置５００と信号線ＳＬ１０を介して接続される。
【００３６】
通信Ｉ／Ｆ部４５０は、例えばコネクタから構成される。通信Ｉ／Ｆ部４５０は、図２および図４に示すように、室内機１００の通信Ｉ／Ｆ部１３０と通信線Ｌ１０を介して接続される。これにより、接続装置４００の制御部４７０は、室内機１００で計測される吸込温度ＴＡを、通信線Ｌ１０を通じて室内機１００から受信したり、各種コマンドまたは設定温度Ｔｓ２を、通信線Ｌ１０、通信Ｉ／Ｆ部１３０および通信線Ｌ２０を通じて、室外機２００へ送信したりすることができる。
【００３７】
電源部４６０は、例えば、電源入力部４３０から入力される２４Ｖの交流電力を、５Ｖの直流電力に変換するＡＣ−ＤＣコンバータから構成される。
【００３８】
制御部４７０は、例えばＣＰＵから構成される。制御部４７０は、信号入力部４１０の各端子への入力電圧に基づいて、空調制御装置３００のスイッチアレイ部３８０が有する各スイッチＳＷＧ、ＳＷＷ１、ＳＷＷ２、ＳＷＹ１、ＳＷＹ２がオンまたはオフのいずれの状態にあるかを判定する。そして、制御部４７０は、各スイッチＳＷＧ、ＳＷＷ１、ＳＷＷ２、ＳＷＹ１、ＳＷＹ２のオン状態またはオフ状態に基づいて、各種コマンドを生成して、通信線Ｌ１０、通信Ｉ／Ｆ部１３０および通信線Ｌ２０を通じて、室外機２００へ送信する。
【００３９】
また、制御部４７０は、設定温度（第２設定温度）Ｔｓ２を算出する。そして、制御部４７０は、算出した設定温度Ｔｓ２を、通信線Ｌ１０、室内機１００の通信Ｉ／Ｆ部１３０および通信線Ｌ２０を通じて、室外機２００へ送信する。
【００４０】
更に、制御部４７０は、空調機の設定温度を更新するタイミングである設定温度更新時刻、および室内温度が安定したと判定する安定判定時刻の計時を行う計時部（図示せず）を有する。計時部は、例えば制御部４７０の内部クロックに同期して動作するカウンタを含んで構成される。
【００４１】
記憶部４８０は、例えばフラッシュメモリ等の書き換え可能な不揮発性のメモリから構成される。記憶部４８０は、空調機（室内機１００）へ送信する各種コマンドを記憶する。具体的には、記憶部４８０は、冷房モード動作開始コマンド、冷房モード動作停止コマンド、暖房モード動作開始コマンドおよび暖房モード動作停止コマンドを記憶する。また、記憶部４８０は、室内温度下限値Ｔｔｈ（Ｌ）、室内温度上限値Ｔｔｈ（Ｈ）、推定設定温度（推定したユーザ設定温度）Ｔｓｓおよび推定許容幅△Ｔｔｈを記憶する。これらは、制御部４７０により記憶部４８０に記録される。
【００４２】
温度計測装置５００は、空調制御装置３００の近傍の室内温度（第３空気温度）Ｔ２を計測する。温度計測装置５００は、熱電対またはサーミスタを含んで構成される。温度計測装置５００は、接続装置４００の温度入力部４４０に接続される。
【００４３】
次に、本実施の形態に係る空調システムの動作について説明する。ここでは、特に、空調制御装置３００の制御部３９０が実行するスイッチ制御処理と、接続装置４００の制御部４７０が実行する空調機制御処理とについて説明する。
【００４４】
初めに、空調制御装置３００の制御部３９０が実行するスイッチ制御処理について、図５を参照しながら説明する。図５に示すスイッチ制御処理は、例えば、ユーザが空調制御装置３００を操作して空調システムの電源投入を行ったことを契機として開始される。
【００４５】
まず、制御部３９０は、温度計測部３３０から室内温度（第２空気温度）Ｔ１を取得する（ステップＳ１０１）。
【００４６】
次に、制御部３９０は、記憶部３４０に記憶されている動作モード情報に基づいて、空調機の動作モードが冷房モードに設定されているか否かを判定する（ステップＳ１０２）。
【００４７】
ステップＳ１０２において、冷房モードに設定されていると判定されると（ステップＳ１０２：Ｙｅｓ）、制御部３９０は、室内温度Ｔ１が冷房モードでの設定温度（ユーザ設定温度）Ｔｓよりも許容幅ΔＴ１だけ高い温度よりも高いか否かを判定する（ステップＳ１０３）。ここで、制御部３９０は、記憶部３４０から、冷房モードでの設定温度Ｔｓおよび許容幅ΔＴ１を取得する。設定温度Ｔｓは、例えば２６℃に設定され、許容幅ΔＴ１は、例えば２℃に設定される。
【００４８】
ステップＳ１０３において、室内温度Ｔ１が冷房モードでの設定温度Ｔｓよりも許容幅ΔＴ１だけ高い温度よりも高いと判定される場合（ステップＳ１０３：Ｙｅｓ）は設定温度Ｔｓが２６℃、許容幅ΔＴ１が２℃であれば、室内温度Ｔ１が２８℃よりも高い場合である。この場合、制御部３９０は、スイッチアレイ部３８０のスイッチＳＷＹ１またＳＷＹ２或いは両方をオンしてから（ステップＳ１０４）、ステップＳ１０５の処理を行う。ここで、スイッチアレイ部３８０のスイッチＳＷＹ１（ＳＷＹ２）が既にオンしている場合は、制御部３９０は、そのままステップＳ１０５の処理を行う。
【００４９】
一方、ステップＳ１０３において、室内温度Ｔ１が設定温度Ｔｓよりも許容幅ΔＴ１だけ高い温度以下と判定されると（ステップＳ１０３：Ｎｏ）、制御部３９０は、そのままステップＳ１０５の処理を行う。
【００５０】
ステップＳ１０５では、制御部３９０は、室内温度Ｔ１が冷房モードでの設定温度Ｔｓよりも許容幅ΔＴ１だけ低い温度よりも低いか否かを判定する。
【００５１】
ステップＳ１０５において、室内温度Ｔ１が設定温度Ｔｓよりも許容幅ΔＴ１だけ低い温度よりも低いと判定される場合（ステップＳ１０５：Ｙｅｓ）は、設定温度Ｔｓが２６℃、許容幅ΔＴ１が２℃であれば、室内温度Ｔ１が２４℃よりも低い場合である。この場合、制御部３９０は、スイッチアレイ部３８０のスイッチＳＷＹ１（ＳＷＹ２）をオフしてから（ステップＳ１０６）、ステップＳ１０１の処理を行う。ここで、スイッチアレイ部３８０のスイッチＳＷＹ１（ＳＷＹ２）が既にオフしている場合は、制御部３９０は、そのままステップＳ１０１の処理を行う。
【００５２】
一方、ステップＳ１０５において、室内温度Ｔ１が設定温度Ｔｓよりも許容幅ΔＴ１だけ低い温度以上と判定されると（ステップＳ１０５：Ｎｏ）、制御部３９０は、そのままステップＳ１０１の処理を行う。
【００５３】
また、ステップＳ１０２において、暖房モードに設定されていると判定されると（ステップＳ１０２：Ｎｏ）、制御部３９０は、室内温度Ｔ１が暖房モードでの設定温度Ｔｓよりも許容幅ΔＴ１だけ高い温度よりも高いか否かを判定する（ステップＳ１０７）。ここで、制御部３９０は、記憶部３４０から、暖房モードでの設定温度Ｔｓおよび許容幅ΔＴ１を取得する。
【００５４】
ステップＳ１０７において、室内温度Ｔ１が設定温度Ｔｓよりも許容幅ΔＴ１だけ高い温度よりも高いと判定されると（ステップＳ１０７：Ｙｅｓ）、制御部３９０は、スイッチアレイ部３８０のスイッチＳＷＷ１（ＳＷＷ２）をオフしてから（ステップＳ１０８）、ステップＳ１０９の処理を行う。ここで、スイッチアレイ部３８０のスイッチＳＷＷ１（ＳＷＷ２）が既にオフしている場合は、制御部３９０は、そのままステップＳ１０９の処理を行う。
【００５５】
一方、ステップＳ１０７において、室内温度Ｔ１が設定温度Ｔｓよりも許容幅ΔＴ１だけ高い温度以下と判定されると（ステップＳ１０７：Ｎｏ）、制御部３９０は、そのままステップＳ１０９の処理を行う。
【００５６】
ステップＳ１０９では、制御部３９０は、室内温度Ｔ１が設定温度Ｔｓよりも許容幅ΔＴ１だけ低い温度よりも低いか否かを判定する。
【００５７】
ステップＳ１０９において、室内温度Ｔ１が設定温度Ｔｓよりも許容幅ΔＴ１だけ低い温度よりも低いと判定されると（ステップＳ１０９：Ｙｅｓ）、制御部３９０は、スイッチアレイ部３８０のスイッチＳＷＷ１（ＳＷＷ２）をオンしてから（ステップＳ１１０）、ステップＳ１０１の処理を行う。ここで、スイッチアレイ部３８０のスイッチＳＷＷ１（ＳＷＷ２）が既にオンしている場合は、制御部３９０は、そのままステップＳ１０１の処理を行う。
【００５８】
以上のように、空調制御装置３００では、冷房モードおよび暖房モードのいずれの動作モードで動作する場合も、スイッチＳＷＹ１（ＳＷＹ２）またはスイッチＳＷＷ１（ＳＷＷ２）がオンからオフに切り替わる温度と、オフからオンに切り替わる温度との間に温度幅（許容幅ΔＴ１の２倍）が設けられている。これにより、スイッチＳＷＹ１（ＳＷＹ２）またはスイッチＳＷＷ１（ＳＷＷ２）が、短時間の間に頻繁にオンとオフの切り替えを繰り返すのを防止できる。
【００５９】
次に、接続装置４００の制御部４７０が実行する空調機制御処理について、図６から図１３を参照しながら説明する。なお、図１０、図１２および図１３において、図６、図８および図９に示す処理と同じ処理については同一の符号が付されている。この空調機制御処理は、例えば、ユーザが空調制御装置３００を操作して空調システムの電源投入を行ったことを契機として開始される。
【００６０】
制御部４７０は、図６に示すように、スイッチＳＷＹ１（スイッチＳＷＹ２）のオンを検知したか否かを判定する（ステップＳ２０１）。即ち、制御部４７０は、空調制御装置３００において冷房モードで動作するための処理がなされたか否かを判定する。
【００６１】
ステップＳ２０１において、スイッチＳＷＹ１（スイッチＳＷＹ２）のオンを検知しない場合（ステップＳ２０１：Ｎｏ）、制御部４７０は、図１０に示すように、スイッチＳＷＷ１（スイッチＳＷＷ２）のオンを検知したか否かを判定する（ステップＳ４０１）。即ち、制御部４７０は、空調制御装置３００において暖房モードで動作するための処理がなされたか否かを判定する。
【００６２】
ここで、制御部４７０は、信号入力部４１０のＹ１端子（Ｙ２端子）およびＷ１端子（Ｗ２端子）の電圧を監視している。そして、制御部４７０は、Ｙ１端子（Ｙ２端子）またはＷ１端子（Ｗ２端子）に交流電圧が印加されたことを検知すると、スイッチＳＷＹ１（スイッチＳＷＹ２）またはスイッチＳＷＷ１（スイッチＳＷＷ２）のオンを検知したと判定する。
【００６３】
ステップＳ４０１において、スイッチＳＷＷ１（スイッチＳＷＷ２）のオンを検知しないと判定されると（ステップＳ４０１：Ｎｏ）、制御部４７０は、再びステップＳ２０１の処理を行う。以上のように、制御部４７０は、スイッチＳＷＹ１（スイッチＳＷＹ２）およびスイッチＳＷＷ１（スイッチＳＷＷ２）のいずれかのオンを検知するまでステップＳ２０１およびステップＳ４０１の処理を繰り返す。
【００６４】
まず、制御部４７０が、スイッチＳＷＹ１（スイッチＳＷＹ２）のオンを検知した場合（ステップＳ２０１：Ｙｅｓ）、即ち、冷房モードで動作する場合について説明する。この場合、制御部４７０は、室外機２００へ冷房モード動作開始コマンドを送信する（ステップＳ２０２）。具体的には、制御部４７０は、記憶部４８０から取得した冷房モード動作開始コマンドを、通信線Ｌ１０、通信Ｉ／Ｆ部１３０および通信線Ｌ２０を通じて、室外機２００へ送信する。
【００６５】
図７に示すように、時刻ｔ０において、スイッチＳＷＹ１（スイッチＳＷＹ２）がオンすると、制御部４７０から室外機２００へ冷房モード動作開始コマンドが入力され、制御部２４０が、圧縮機２２０を初期回転数Ｒ０で動作させる。すると、温度計測装置５００が設置された部屋（例えば部屋Ｓ）の室内温度（第３空気温度）Ｔ２および吸込温度（第１空気温度）ＴＡは、時間の経過とともに下降していく。ここで、室内温度Ｔ２は、吸込温度ＴＡの変動に追従しない。これは、室内機１００から、温度計測装置５００が設置されている空調の対象となる部屋（例えば部屋Ｓ）までの空気流路であるダクトＤ２０の熱容量等による影響があるためである。
【００６６】
図６に戻って、ステップＳ２０２の後、制御部４７０は、スイッチＳＷＹ１（スイッチＳＷＹ２）のオフを検知したか否かを判定する（ステップＳ２０３）。具体的には、制御部４７０は、信号入力部４１０のＹ１端子（Ｙ２端子）の電圧が略ゼロになったことを検知すると、スイッチＳＷＹ１（スイッチＳＷＹ２）のオフを検知したと判定する。制御部４７０は、スイッチＳＷＹ１（スイッチＳＷＹ２）のオフを検知しない限り（ステップＳ２０３：Ｎｏ）、待機状態を維持する。
【００６７】
ステップＳ２０３において、スイッチＳＷＹ１（スイッチＳＷＹ２）のオフを検知すると（ステップＳ２０３：Ｙｅｓ）、制御部４７０は、空調機へ冷房モード動作停止コマンドを送信する（ステップＳ２０４）。具体的には、制御部４７０は、記憶部４８０から取得した冷房モード動作停止コマンドを、通信線Ｌ１０、室内機１００の通信Ｉ／Ｆ部１３０および通信線Ｌ２０を通じて、室外機２００へ送信する。
【００６８】
図７に示すように、時刻ｔ１において、室内温度Ｔ１（Ｔ２）が設定温度Ｔｓよりも許容幅△Ｔ１だけ低い温度（室内温度下限値Ｔｔｈ（Ｌ））を下回ると、空調制御装置３００の制御部３９０は、スイッチＳＷＹ１（スイッチＳＷＹ２）をオフする。すると、制御部４７０から室外機２００へ冷房モード動作停止コマンドが入力され、制御部２４０は、圧縮機２２０を停止させる。すると、室内温度Ｔ２および吸込温度ＴＡは、圧縮機２２０が停止してから暫くして、時間の経過とともに上昇していく。
【００６９】
図６に戻って、ステップＳ２０４の後、制御部４７０は、室内温度下限値Ｔｔｈ（Ｌ）を取得して記憶部４８０に記憶させる（ステップＳ２０５）。具体的には、制御部４７０は、温度計測装置５００を介して取得した、スイッチＳＷＹ１（スイッチＳＷＹ２）がオンからオフに変化した際の室内温度（第３空気温度）Ｔ２を、室内温度下限値Ｔｔｈ（Ｌ）として記憶部４８０に記憶させる。
【００７０】
その後、制御部４７０は、スイッチＳＷＹ１（スイッチＳＷＹ２）のオンを検知したか否かを判定する（ステップＳ２０６）。具体的には、制御部４７０は、信号入力部４１０のＹ１端子（Ｙ２端子）に交流電圧が印加されたことを検知すると、スイッチＳＷＹ１（スイッチＳＷＹ２）のオンを検知したと判定する。制御部４７０は、スイッチＳＷＹ１（スイッチＳＷＹ２）のオンを検知しない限り（ステップＳ２０６：Ｎｏ）、待機状態を維持する。
【００７１】
ステップＳ２０６において、スイッチＳＷＹ１（スイッチＳＷＹ２）のオンを検知すると（ステップＳ２０６：Ｙｅｓ）、制御部４７０は、空調機へ冷房モード動作開始コマンドを送信する（ステップＳ２０７）。
【００７２】
図７に示すように、時刻ｔ２において、室内温度Ｔ１（Ｔ２）が設定温度Ｔｓよりも許容幅△Ｔ１だけ高い温度（室内温度上限値Ｔｔｈ（Ｈ））を上回ると、空調制御装置３００の制御部３９０は、スイッチＳＷＹ１（スイッチＳＷＹ２）をオンする。すると、制御部４７０から室外機２００へ冷房モード動作開始コマンドが入力され、制御部２４０は、再び圧縮機２２０を動作させる。すると、室内温度Ｔ２および吸込温度ＴＡは、圧縮機２２０が動作を開始してから暫くして、時間の経過とともに下降していく。
【００７３】
図６に戻って、ステップＳ２０７の後、制御部４７０は、室内温度上限値Ｔｔｈ（Ｈ）を取得して記憶部４８０に記憶させる（ステップＳ２０８）。具体的には、制御部４７０は、温度計測装置５００を介して取得した、スイッチＳＷＹ１（スイッチＳＷＹ２）がオンからオフに変化した際の室内温度Ｔ２を、室内温度下限値Ｔｔｈ（Ｌ）として記憶部４８０に記憶させる。
【００７４】
続いて、制御部４７０は、室内温度上限値Ｔｔｈ（Ｈ）と室内温度下限値Ｔｔｈ（Ｌ）との平均値を算出し、算出した平均値を、推定設定温度（推定したユーザ設定温度）Ｔｓｓとして記憶部４８０に記憶させる（ステップＳ２０９）。推定設定温度Ｔｓｓは、空調制御装置３００の設定温度（ユーザ設定温度）Ｔｓと略一致する。
【００７５】
その後、制御部４７０は、推定設定温度Ｔｓｓと室内温度下限値Ｔｔｈ（Ｌ）との差分絶対値｜Ｔｓｓ−Ｔｔｈ（Ｌ）｜を算出し、これを推定許容幅△Ｔｔｈとして記憶部４８０に記憶させる（ステップＳ２１０）。推定許容幅△Ｔｔｈは、許容幅△Ｔ１と略一致する。
【００７６】
次に、制御部４７０は、空調機の設定温度を更新するタイミング（設定温度更新時刻）の計時を開始する（ステップＳ２１１）。具体的には、制御部４７０は、計時部が計時を開始してから、一定の時間間隔（例えば１０分間隔）で到来する設定温度更新時刻に、設定温度Ｔｓ２の更新を行う。
【００７７】
続いて、制御部４７０は、室内温度Ｔ２を取得する（ステップＳ２１２）。制御部４７０は、ステップＳ２１２の処理を、まず、設定温度更新時刻の計時開始時に行い、その後、設定温度更新時刻が到来する毎に行う。
【００７８】
その後、制御部４７０は、推定設定温度Ｔｓｓから取得した室内温度Ｔ２を差し引いて得られる室内温度差△Ｔ２を算出する（ステップＳ２１３）。
【００７９】
次に、制御部４７０は、図８に示すように、室内温度差△Ｔ２の絶対値｜△Ｔ２｜が室内温度差ゼロ判定幅△Ｔ２ｔｈよりも小さいか否かを判定する（ステップＳ２１４）。ここで、制御部４７０は、室内温度差ΔＴ２の絶対値｜△Ｔ２｜が室内温度差ゼロ判定幅△Ｔ２ｔｈよりも小さい場合、室内温度差△Ｔ２が実質的にゼロであると判定する。
【００８０】
ステップＳ２１４において、室内温度差△Ｔ２の絶対値｜△Ｔ２｜が室内温度差ゼロ判定幅△Ｔ２ｔｈよりも小さいと判定されると（ステップＳ２１４：Ｙｅｓ）、制御部４７０は、安定判定時刻の計時を開始してから（ステップＳ２１５）、ステップＳ２１６の処理を行う。
【００８１】
図７に示すように、設定温度更新時刻である時刻ｔ１１に、制御部４７０は、室内温度差△Ｔ２の絶対値｜△Ｔ２｜が室内温度差ゼロ判定幅△Ｔ２ｔｈよりも小さいと判定すると、安定判定時刻の計時を開始する。
【００８２】
図８に戻って、一方、ステップＳ２１４において、室内温度差△Ｔ２の絶対値｜△Ｔ２｜が室内温度差ゼロ判定幅△Ｔ２ｔｈ以上であると判定されると（ステップＳ２１４：Ｎｏ）、制御部４７０は、そのままステップＳ２１６の処理を行う。
【００８３】
ステップＳ２１６では、制御部４７０が、室内機１００から通信線Ｌ１０および通信Ｉ／Ｆ部４５０を通じて、吸込温度（第１空気温度）ＴＡを取得する。
【００８４】
続いて、制御部４７０は、室内温度差△Ｔ２を、取得した吸込温度ＴＡに加算することにより、設定温度Ｔｓ２を算出する（ステップＳ２１７）。
【００８５】
その後、制御部４７０は、算出した設定温度（第２設定温度）Ｔｓ２を、通信線Ｌ１０、通信Ｉ／Ｆ部１３０および通信線Ｌ２０を通じて、室外機２００へ送信する（ステップＳ２１８）。
【００８６】
図７に示すように、設定温度更新時刻である時刻ｔ３では、推定設定温度Ｔｓｓが取得した室内温度Ｔ２よりも低い。この場合、設定温度Ｔｓ２は、吸込温度ＴＡよりも室内温度差△Ｔ２の絶対値｜△Ｔ２｜だけ低い温度に設定される。そして、制御部２４０は、圧縮機２２０の回転数を絶対値｜△Ｔ２｜の大きさに基づいて設定する。制御部２４０は、絶対値｜△Ｔ２｜の大きさによっては、圧縮機２２０の回転数を初期回転数Ｒ０よりも小さい回転数に設定する。以後、設定温度更新時刻（例えば時刻ｔ４、ｔ６、ｔ７ｔ９、ｔ１０、ｔ１１、ｔ１２、ｔ１３、ｔ１４）が到来する毎に、制御部４７０から室外機２００へ設定温度Ｔｓ２が送信される。そして、制御部２４０は、設定温度Ｔｓ２を受信する毎に、設定温度記憶部２５０に記憶されている設定温度Ｔｓ２を更新するとともに、更新した設定温度Ｔｓ２に基づいて、圧縮機２２０の回転数を適宜変更する。また、時刻ｔ６、ｔ７、ｔ１１、ｔ１２では、室内温度Ｔ２（Ｔ１）が推定設定温度Ｔｓｓよりも低く、設定温度Ｔｓ２は、吸込温度ＴＡよりも高い温度に設定される。この場合、制御部２４０は、圧縮機２２０の回転数を、最低回転数ＲＬＬに設定する。
【００８７】
図８に戻って、ステップＳ２１８の後、制御部４７０は、スイッチＳＷＹ１（スイッチＳＷＹ２）のオフを検知したか否かを判定する（ステップＳ２１９）。
【００８８】
ステップＳ２１９において、スイッチＳＷＹ１（スイッチＳＷＹ２）のオフを検知しない場合（ステップＳ２１９：Ｎｏ）、制御部４７０は、計時部の出力に基づいて、設定温度更新時刻が到来したか否かを判定する（ステップＳ２２０）。
【００８９】
ステップＳ２２０において、設定温度更新時刻が到来したと判定されると（ステップＳ２２０：Ｙｅｓ）、制御部４７０は、ステップＳ２１２の処理を行う。
【００９０】
図７に示すように、例えば時刻ｔ４では、室内温度差△Ｔ２の絶対値｜△Ｔ２｜は、時刻ｔ３における室内温度差の絶対値｜△Ｔ２｜よりも小さくなる。この場合、制御部２４０は、圧縮機２２０の回転数を時刻ｔ３で設定した回転数よりも小さい回転数に変更する。
【００９１】
図８に戻って、一方、ステップＳ２２０において、設定温度更新時刻が到来していないと判定されたとする（ステップＳ２２０：Ｎｏ）。この場合、制御部４７０は、計時部の出力に基づいて、安定判定時刻が到来したか否かを判定する（ステップＳ２２１）。安定判定時刻は、安定判定時刻の計時を開始してから一定の判定基準時間△ｔｓｔ経過後の時刻に相当する（図７参照）。判定基準時間△ｔｓｔは、例えば６時間に設定される。
【００９２】
ステップＳ２２１において、安定判定時刻が到来したと判定されると（ステップＳ２２１：Ｙｅｓ）、制御部４７０は、図９に示すステップＳ３０１の処理を行う。
【００９３】
一方、図８に示すように、ステップＳ２２１において、安定判定時刻が到来していないと判定されると（ステップＳ２２１：Ｎｏ）、制御部４７０は、再びステップＳ２１９の処理を行う。
【００９４】
また、ステップＳ２１９において、スイッチＳＷＹ１（スイッチＳＷＹ２）のオフを検知すると（ステップＳ２１９：Ｙｅｓ）、制御部４７０は、空調機へ冷房モード動作停止コマンドを送信する（ステップＳ２２２）。
【００９５】
図７に示すように、時刻ｔ５において、室内温度Ｔ１（Ｔ２）が設定温度Ｔｓよりも許容幅△Ｔ１だけ低い温度（室内温度下限値Ｔｔｈ（Ｌ））を下回ると、空調制御装置３００の制御部３９０は、スイッチＳＷＹ１（スイッチＳＷＹ２）をオフする。すると、制御部４７０から室外機２００へ冷房モード動作停止コマンドが入力され、制御部２４０は、圧縮機２２０を停止させる。すると、室内温度Ｔ２および吸込温度ＴＡは、圧縮機２２０が停止してから暫くして、時間の経過とともに上昇していく。
【００９６】
図８に戻って、ステップＳ２２２の後、制御部４７０は、スイッチＳＷＹ１（スイッチＳＷＹ２）のオンを検知したか否かを判定する（ステップＳ２２３）。
【００９７】
ステップＳ２２３において、スイッチＳＷＹ１（スイッチＳＷＹ２）のオンを検知しない場合（ステップＳ２２３：Ｎｏ）、制御部４７０は、計時部の出力に基づいて、設定温度更新時刻が到来したか否かを判定する（ステップＳ２２４）。
【００９８】
ステップＳ２２４において、設定温度更新時刻が到来したと判定されると（ステップＳ２２４：Ｙｅｓ）、制御部４７０は、ステップＳ２１２の処理を行う。
【００９９】
一方、ステップＳ２２４において、設定温度更新時刻が到来していないと判定されると（ステップＳ２２４：Ｎｏ）、制御部４７０は、計時部の出力に基づいて、安定判定時刻が到来したか否かを判定する（ステップＳ２２５）。
【０１００】
ステップＳ２２５において、安定判定時刻が到来したと判定されると（ステップＳ２２５：Ｙｅｓ）、制御部４７０は、図９に示すステップＳ３０１の処理を行う。
【０１０１】
一方、ステップＳ２２５において、安定判定時刻が到来していないと判定されると（ステップＳ２２５：Ｎｏ）、制御部４７０は、再びステップＳ２２３の処理を行う。
【０１０２】
また、ステップＳ２２３において、スイッチＳＷＹ１（スイッチＳＷＹ２）のオンを検知すると（ステップＳ２２３：Ｙｅｓ）、制御部４７０は、空調機へ冷房モード動作開始コマンドを送信してから（ステップＳ２２６）、再びステップＳ２１９の処理を行う。
【０１０３】
図７に示すように、例えば時刻ｔ８において、室内温度Ｔ１（Ｔ２）が設定温度Ｔｓよりも許容幅△Ｔ１だけ高い温度（室内温度上限値Ｔｔｈ（Ｈ））を上回ると、空調制御装置３００の制御部３９０は、スイッチＳＷＹ１（スイッチＳＷＹ２）をオンする。すると、制御部４７０から室外機２００へ冷房モード動作開始コマンドが入力され、圧縮機２２０を制御する制御部２４０は、再び圧縮機２２０を動作させる。このとき、制御部２４０は、直前の設定変更時刻である時刻ｔ７で設定した回転数で圧縮機２２０を回転させる。
【０１０４】
ステップＳ３０１では、図９に示すように、制御部４７０が、設定温度更新時刻の計時を停止する。
【０１０５】
図７に示すように、時刻ｔ１５において、安定判定時刻が到来したと判定されると、制御部４７０は、設定温度更新時刻の計時を停止し、以後、設定温度Ｔｓ２の定期的な変更を行わない。
【０１０６】
図９に戻って、ステップＳ３０１の後、制御部４７０は、室内温度Ｔ２を取得する（ステップＳ３０２）。
【０１０７】
次に、制御部４７０は、スイッチＳＷＹ１（スイッチＳＷＹ２）のオフを検知したか否かを判定する（ステップＳ３０３）。
【０１０８】
ステップＳ３０３において、スイッチＳＷＹ１（スイッチＳＷＹ２）のオフを検知するとする（ステップＳ３０３：Ｙｅｓ）。この場合、制御部４７０は、記憶部４８０が記憶している室内温度下限値Ｔｔｈ（Ｌ）と取得した室内温度Ｔ２との差分絶対値を算出し、当該差分絶対値が推定許容幅△Ｔｔｈよりも大きいか否かを判定する（ステップＳ３０４）。
【０１０９】
ステップＳ３０４において、算出した差分絶対値が推定許容幅△Ｔｔｈよりも大きいと判定される場合（ステップＳ３０４：Ｙｅｓ）、制御部４７０は、空調機へ冷房モード動作停止コマンドを送信する（ステップＳ３０８）。
【０１１０】
続いて、制御部４７０は、取得した室内温度Ｔ２を、室内温度下限値Ｔｔｈ（Ｌ）として、記憶部４８０に記憶させてから（ステップＳ３０９）、ステップＳ２０６の処理を行う。つまり、制御部４７０は、差分絶対値が推定許容幅△Ｔｔｈよりも大きい場合、空調制御装置３００で設定温度Ｔｓの変更がなされたものと判定し、推定設定温度Ｔｓを更新するための処理を行う。
【０１１１】
一方、ステップＳ３０４において、算出した差分絶対値が推定許容幅△Ｔｔｈ以下と判定される場合（ステップＳ３０４：Ｎｏ）、制御部４７０は、吸込温度ＴＡを取得する（ステップＳ３０５）。
【０１１２】
その後、制御部４７０は、取得した吸込温度ＴＡに推定許容幅△Ｔｔｈを加算した値を設定温度Ｔｓ２として算出する（ステップＳ３０６）。
【０１１３】
次に、制御部４７０は、算出した設定温度Ｔｓ２を、通信線Ｌ１０、通信Ｉ／Ｆ部１３０および通信線Ｌ２０を通じて、室外機２００へ送信してから（ステップＳ３０７）、再びステップＳ３０２の処理を行う。
【０１１４】
図７に示すように、時刻ｔ１６において、例えば部屋の温度環境の変化により、室内温度Ｔ１（Ｔ２）が設定温度Ｔｓよりも許容幅△Ｔ１だけ低い温度（室内温度下限値Ｔｔｈ（Ｌ））を下回ったとする。この場合、空調制御装置３００の制御部３９０は、スイッチＳＷＹ１（スイッチＳＷＹ２）をオフする。すると、制御部４７０は、設定温度Ｔｓ２を、取得した吸込温度ＴＡに推定許容幅△Ｔｔｈを加算した値へ更新する。これにより、時刻ｔ１６では、室外機２００において、設定温度Ｔｓ２が、吸込温度ＴＡよりも高い温度に設定される。すると、制御部２４０は、圧縮機２２０の回転数を最低回転数ＲＬＬに変更する。その後、例えば時刻ｔ１７において、室内温度Ｔ１（Ｔ２）が設定温度Ｔｓよりも許容幅△Ｔ１だけ高い温度（室内温度上限値Ｔｔｈ（Ｈ））を上回ると、空調制御装置３００の制御部３９０は、スイッチＳＷＹ１（スイッチＳＷＹ２）を再びオンする。
【０１１５】
図９に戻って、ステップＳ３０３において、スイッチＳＷＹ１（スイッチＳＷＹ２）のオフを検知しないとする（ステップＳ３０３：Ｎｏ）。この場合、制御部４７０は、室内温度Ｔ２が室内温度上限値Ｔｔｈ（Ｈ）よりも高いか否かを判定する（ステップＳ３１１）。
【０１１６】
ステップＳ３１１において、室内温度Ｔ２が室内温度上限値Ｔｔｈ（Ｈ）以下と判定されると（ステップＳ３１１：Ｎｏ）、制御部４７０は、再びステップＳ３０２の処理を行う。
【０１１７】
一方、ステップＳ３１１において、室内温度Ｔ２が室内温度上限値Ｔｔｈ（Ｈ）よりも高いと判定されると（ステップＳ３１１：Ｙｅｓ）、制御部４７０は、吸込温度ＴＡを取得する（ステップＳ３１２）。
【０１１８】
その後、制御部４７０は、取得した吸込温度ＴＡから推定許容幅△Ｔｔｈを差し引いた値を設定温度Ｔｓ２として算出する（ステップＳ３１３）。
【０１１９】
次に、制御部４７０は、算出した設定温度Ｔｓ２を室外機２００へ送信してから（ステップＳ３１４）、再びステップＳ３０２の処理を行う。
【０１２０】
図７に示すように、時刻ｔ１７において、例えば部屋の温度環境の変化により、室内温度Ｔ１（Ｔ２）が設定温度Ｔｓよりも許容幅△Ｔ１だけ高い温度（室内温度上限値Ｔｔｈ（Ｈ））を上回ったとする。この場合、制御部４７０は、設定温度Ｔｓ２を、取得した吸込温度ＴＡから推定許容幅△Ｔｔｈを差し引いた値へ更新する。すると、室外機２００の制御部２４０は、圧縮機２２０の回転数を、更新した設定温度Ｔｓ２に対応する回転数へ変更する。
【０１２１】
次に、制御部４７０が、スイッチＳＷＷ１（スイッチＳＷＷ２）のオンを検知した場合（ステップＳ４０１：Ｙｅｓ）、即ち、空調機が暖房モードで動作する場合について説明する。この場合、制御部４７０は、図１０に示すように、室内機１００へ暖房モード動作開始コマンドを送信する（ステップＳ４０２）。
【０１２２】
図１１に示すように、時刻ｔ１００において、スイッチＳＷＷ１（スイッチＳＷＷ２）がオンすると、制御部４７０から室外機２００へ暖房モード動作開始コマンドが入力される。すると、制御部２４０が、流れ方向変更部２３０を制御して冷媒が冷房モード時とは逆方向に冷媒配管Ｄ１０を流れるようにしてから、圧縮機２２０を初期回転数Ｒ０で動作させる。すると、室内温度（第３空気温度）Ｔ２および吸込温度（第１空気温度）ＴＡは、時間の経過とともに上昇していく。
【０１２３】
図１０に戻って、ステップＳ４０２の後、制御部４７０は、スイッチＳＷＷ１（スイッチＳＷＷ２）のオフを検知したか否かを判定する（ステップＳ４０３）。制御部４７０は、スイッチＳＷＷ１（スイッチＳＷＷ２）のオフを検知しない限り（ステップＳ４０３：Ｎｏ）、待機状態を維持する。
【０１２４】
ステップＳ４０３において、スイッチＳＷＷ１（スイッチＳＷＷ２）のオフを検知すると（ステップＳ４０３：Ｙｅｓ）、制御部４７０は、室外機２００へ暖房モード動作停止コマンドを送信する（ステップＳ４０４）。
【０１２５】
図１１に示すように、時刻ｔ１０１において、室内温度Ｔ１（Ｔ２）が設定温度Ｔｓよりも許容幅△Ｔ１だけ低い温度（室内温度下限値Ｔｔｈ（Ｌ））を上回ると、空調制御装置３００の制御部３９０は、スイッチＳＷＷ１（スイッチＳＷＷ２）をオフする。すると、制御部４７０から室外機２００へ暖房モード動作停止コマンドが入力され、制御部２４０は、圧縮機２２０を停止させる。すると、室内温度Ｔ２および吸込温度ＴＡは、圧縮機２２０が停止してから暫くして、時間の経過とともに下降していく。
【０１２６】
続いて、制御部４７０は、室内温度上限値Ｔｔｈ（Ｈ）を取得して記憶部４８０に記憶させる（ステップＳ４０５）。この室内温度上限値Ｔｔｈ（Ｈ）は、スイッチＳＷＷ１（スイッチＳＷＷ２）がオンからオフに変化した際の室内温度（第３空気温度）Ｔ２に相当する。
【０１２７】
その後、制御部４７０は、スイッチＳＷＷ１（スイッチＳＷＷ２）のオンを検知したか否かを判定する（ステップＳ４０６）。制御部４７０は、スイッチＳＷＷ１（スイッチＳＷＷ２）のオンを検知しない限り（ステップＳ４０６：Ｎｏ）、待機状態を維持する。
【０１２８】
ステップＳ４０６において、スイッチＳＷＹ１（スイッチＳＷＹ２）のオンを検知すると（ステップＳ４０６：Ｙｅｓ）、制御部４７０は、室外機２００へ暖房モード動作開始コマンドを送信する（ステップＳ４０７）。
【０１２９】
図１１に示すように、時刻ｔ１０２において、室内温度Ｔ１（Ｔ２）が設定温度Ｔｓよりも許容幅△Ｔ１だけ低い温度（室内温度下限値Ｔｔｈ（Ｌ））を下回ると、空調制御装置３００の制御部３９０は、スイッチＳＷＷ１（スイッチＳＷＷ２）をオンする。すると、制御部４７０から室外機２００へ暖房モード動作開始コマンドが入力され、圧縮機制御部２４０は、再び圧縮機２２０を動作させる。すると、室内温度Ｔ２および吸込温度ＴＡは、圧縮機２２０が動作を開始してから暫くして、時間の経過とともに上昇していく。
【０１３０】
次に、制御部４７０は、図９に示すように、室内温度下限値Ｔｔｈ（Ｌ）を取得して記憶部４８０に記憶させる（ステップＳ４０８）。この室内温度下限値Ｔｔｈ（Ｌ）は、スイッチＳＷＷ１（スイッチＳＷＷ２）がオフからオンに変化した際の室内温度Ｔ２に相当する。
【０１３１】
以後、制御部４７０は、ステップＳ２１０から図１２のステップＳ２１８までの処理を行う。
【０１３２】
ここでは、空調機が冷房モードで動作する場合と同様に、設定温度更新時刻が到来する毎に、制御部４７０から室外機２００へ空調機用設定温度Ｔｓ２が送信される。設定温度更新時刻は、例えば図１１に示す時刻ｔ１０３、ｔ１０４、ｔ１０６、ｔ１０７、ｔ１０９、ｔ１１０、ｔ１１１、ｔ１１２、ｔ１１３、ｔ１１４である。そして、制御部２４０は、設定温度Ｔｓ２を受信する毎に設定温度記憶部２５０に記憶されている設定温度Ｔｓ２を更新するとともに、更新した設定温度Ｔｓ２に基づいて、圧縮機２２０の回転数を適宜変更する。また、時刻ｔ１０６、ｔ１０７、ｔ１１１、ｔ１１２では、室内温度Ｔ２（Ｔ１）が推定設定温度Ｔｓｓよりも高く、設定温度Ｔｓ２は、吸込温度ＴＡよりも低い温度に設定される。この場合、制御部２４０は、圧縮機２２０の回転数を、最低回転数ＲＬＬに設定する。
【０１３３】
また、図１１に示すように、設定温度更新時刻である時刻ｔ１１１において、制御部４７０は、室内温度差△Ｔ２の絶対値｜△Ｔ２｜が室内温度差ゼロ判定幅△Ｔ２ｔｈよりも小さいと判定したとする。この場合、空調機が冷房モードで動作する場合と同様に、制御部４７０は、安定判定時刻の計時を開始する。
【０１３４】
そして、制御部４７０は、図１２に示すように、ステップＳ２１８の処理を行った後、スイッチＳＷＷ１（スイッチＳＷＷ２）のオフを検知したか否かを判定する（ステップＳ４１９）。ステップＳ４１９において、スイッチＳＷＷ１（スイッチＳＷＷ２）のオフを検知しない場合（ステップＳ４１９：Ｎｏ）、制御部４７０は、ステップＳ２２０の処理を行う。
【０１３５】
一方、ステップＳ４１９において、スイッチＳＷＷ１（スイッチＳＷＷ２）のオフを検知すると（ステップＳ４１９：Ｙｅｓ）、制御部４７０は、空調機へ暖房モード動作停止コマンドを送信する（ステップＳ４２２）。
【０１３６】
図１１に示すように、時刻ｔ１０５において、室内温度Ｔ１（Ｔ２）が設定温度Ｔｓよりも許容幅△Ｔ１だけ高い温度（室内温度上限値Ｔｔｈ（Ｈ））を上回ると、空調制御装置３００の制御部３９０は、スイッチＳＷＷ１（スイッチＳＷＷ２）をオフする。すると、制御部４７０から室外機２００へ暖房モード動作停止コマンドが入力され、制御部２４０は、圧縮機２２０を停止させる。すると、室内温度Ｔ２および吸込温度ＴＡは、圧縮機２２０が停止してから暫くして、時間の経過とともに下降していく。
【０１３７】
続いて、制御部４７０は、スイッチＳＷＷ１（スイッチＳＷＷ２）のオンを検知したか否かを判定する（ステップＳ４２３）。ステップＳ４２３において、スイッチＳＷＷ１（スイッチＳＷＷ２）のオンを検知しない場合（ステップＳ４２３：Ｎｏ）、制御部４７０は、ステップＳ２２４の処理を行う。
【０１３８】
一方、ステップＳ４２３において、スイッチＳＷＷ１（スイッチＳＷＷ２）のオンを検知すると（ステップＳ４２３：Ｙｅｓ）、制御部４７０は、空調機へ暖房モード動作開始コマンドを送信してから（ステップＳ４２６）、再びステップＳ４１９の処理を行う。
【０１３９】
図１１に示すように、例えば時刻ｔ１０８において、室内温度Ｔ１（Ｔ２）が設定温度Ｔｓよりも許容幅△Ｔ１だけ低い温度（室内温度下限値Ｔｔｈ（Ｌ））を下回ると、空調制御装置３００の制御部３９０は、スイッチＳＷＷ１（スイッチＳＷＷ２）をオンする。すると、制御部４７０から室外機２００へ暖房モード動作開始コマンドが入力され、制御部２４０は、再び圧縮機２２０を動作させる。このとき、制御部２４０は、直前の設定変更時刻である時刻ｔ１０７で設定した回転数で圧縮機２２０を回転させる。
【０１４０】
また、制御部４７０は、図１３に示すように、ステップＳ３０１およびステップＳ３０２の処理の後、スイッチＳＷＷ１（スイッチＳＷＷ２）のオフを検知したか否かを判定する（ステップＳ５０３）。
【０１４１】
図１１に示すように、空調機が冷房モードで動作する場合と同様に、時刻ｔ１１５において、安定判定時刻が到来したと判定されると、制御部４７０は、設定温度更新時刻の計時を停止し、以後、設定温度Ｔｓ２の定期的な変更を行わない。
【０１４２】
ステップＳ５０３において、スイッチＳＷＷ１（スイッチＳＷＷ２）のオフを検知するとする（ステップＳ５０３：Ｙｅｓ）。この場合、制御部４７０は、記憶部４８０に記憶されている室内温度上限値Ｔｔｈ（Ｈ）と取得した室内温度Ｔ２との差分絶対値が推定許容幅△Ｔｔｈよりも大きいか否かを判定する（ステップＳ５０４）。
【０１４３】
ステップＳ５０４において、差分絶対値が推定許容幅△Ｔｔｈよりも大きいと判定されると（ステップＳ５０４：Ｙｅｓ）、制御部４７０は、室内機１００へ暖房モード動作停止コマンドを送信する（ステップＳ５０８）。
【０１４４】
その後、制御部４７０は、取得した室内温度Ｔ２を、室内温度上限値Ｔｔｈ（Ｈ）として記憶部４８０に記憶させてから（ステップＳ５０９）、ステップＳ４０６の処理を行う。
【０１４５】
一方、ステップＳ５０４において、差分絶対値が推定許容幅△Ｔｔｈ以下と判定されると（ステップＳ５０４：Ｎｏ）、制御部４７０は、吸込温度（第１空気温度）ＴＡを取得する（ステップＳ３０５）。次に、制御部４７０は、取得した吸込温度ＴＡから推定許容幅△Ｔｔｈを差し引いた値を設定温度Ｔｓ２として算出する（ステップＳ５０６）。
【０１４６】
次に、制御部４７０は、算出した設定温度Ｔｓ２を、室外機２００へ送信してから（ステップＳ３０７）、再びステップＳ３０２の処理を行う。
【０１４７】
図１１に示すように、時刻ｔ１１６において、例えば部屋の温度環境の変化により、室内温度Ｔ１（Ｔ２）が設定温度Ｔｓよりも許容幅△Ｔ１だけ高い温度（室内温度上限値Ｔｔｈ（Ｈ））を上回ったとする。この場合、空調制御装置３００の制御部３９０は、スイッチＳＷＹ１（スイッチＳＷＹ２）をオフする。すると、制御部４７０は、設定温度Ｔｓ２を、取得した吸込温度ＴＡから推定許容幅△Ｔｔｈを差し引いた値へ更新する。時刻ｔ１１６では、設定温度Ｔｓ２が、吸込温度ＴＡよりも低い温度に設定される。すると、制御部２４０は、圧縮機２２０の回転数を、最低回転数ＲＬＬに変更する。
その後、例えば時刻ｔ１７において、室内温度Ｔ１（Ｔ２）が設定温度Ｔｓよりも許容幅△Ｔ１だけ低い温度（室内温度下限値Ｔｔｈ（Ｌ））を下回ると、空調制御装置３００の制御部３９０は、スイッチＳＷＹ１（スイッチＳＷＹ２）を再びオンする。
【０１４８】
また、ステップＳ５０３において、スイッチＳＷＷ１（スイッチＳＷＷ２）のオフを検知しないとする（ステップＳ５０３：Ｎｏ）。この場合、制御部４７０は、室内温度Ｔ２が室内温度下限値Ｔｔｈ（Ｌ）よりも低いか否かを判定する（ステップＳ５１１）。
【０１４９】
ステップＳ５１１において、室内温度Ｔ２が室内温度下限値Ｔｔｈ（Ｌ）以上と判定されると（ステップＳ５１１：Ｎｏ）、制御部４７０は、再びステップＳ３０２の処理を行う。
【０１５０】
一方、ステップＳ５１１において、室内温度Ｔ２が室内温度下限値Ｔｔｈ（Ｌ）よりも低いと判定されると（ステップＳ５１１：Ｙｅｓ）、制御部４７０は、吸込温度ＴＡを取得する（ステップＳ３１２）。
【０１５１】
その後、制御部４７０は、取得した吸込温度ＴＡに推定許容幅△Ｔｔｈを加算した値を設定温度Ｔｓ２として算出する（ステップＳ５１３）。
【０１５２】
次に、制御部４７０は、算出した設定温度Ｔｓ２を室外機２００へ送信してから（ステップＳ３１４）、再びステップＳ３０２の処理を行う。
【０１５３】
図１１に示すように、時刻ｔ１７において、例えば部屋の温度環境の変化により、室内温度Ｔ１（Ｔ２）が設定温度Ｔｓよりも許容幅△Ｔ１だけ低い温度（室内温度下限値Ｔｔｈ（Ｌ））を下回ったとする。この場合、制御部４７０は、設定温度Ｔｓ２を、取得した吸込温度ＴＡに推定許容幅△Ｔｔｈを加算した値へ更新する。すると、制御部２４０は、圧縮機２２０の回転数を、更新した設定温度Ｔｓ２に対応する回転数へ変更する。
【０１５４】
例えば、空調制御装置３００が設置された部屋Ｓと室内機１００の周囲とで温度環境が異なるとする。この場合、設定温度（ユーザ設定温度）Ｔｓ（推定設定温度Ｔｓｓ）と、室内温度（第３空気温度）Ｔ２が設定温度Ｔｓに等しい場合の吸込温度（第１空気温度）ＴＡとが異なることがある。これに対して、本実施の形態の接続装置４００は、室内機１００から取得した吸込温度ＴＡと、推定設定温度Ｔｓｓと室内温度Ｔ２との温度差とに基づいて設定温度（第２設定温度）Ｔ２を算出する。これにより、空調機に適切な設定温度Ｔ２を設定することができるため、効率的な空調が実現できる。
【０１５５】
また、接続装置４００は、吸込温度ＴＡを、設定温度Ｔｓｓと室内温度Ｔ２との室内温度差△Ｔ２だけ微調整する制御が可能になる。従って、例えば室内機１００の周囲の吸込温度ＴＡとユーザの居る場所の室内温度Ｔ２（Ｔ１）との間に、温度環境の違いによる固有の温度差が存在しても、室内温度Ｔ２（Ｔ１）を設定温度Ｔｓｓ（Ｔｓ）で推移させることができるので、部屋（例えば部屋Ｓ）の快適性を維持できる。
【０１５６】
また、接続装置４００は、部屋Ｓと室内機１００の周囲との温度環境の違いに起因した吸込温度ＴＡと室内温度Ｔ２との温度差を維持することができるので、必ずしも設定温度Ｔｓ２を、設定温度Ｔｓに略等しくする必要はない。従って、本実施の形態に適合する空調機は、部屋Ｓの室内温度Ｔ１を計測できる温度計測部を備える機種に限定されないので、その分、適合機種が多いという利点がある。
【０１５７】
また、接続装置４００は、空調制御装置３００の近傍に設置された温度計測装置５００で計測される室内温度Ｔ２を用いて室内温度上限値Ｔｔｈ（Ｈ）および室内温度下限値Ｔｔｈ（Ｌ）を推定するので、空調制御装置３００での室内温度上限値Ｔｔｈ（Ｈ）、室内温度下限値Ｔｔｈ（Ｌ）および設定温度Ｔｓをより正確に推定できる。
【０１５８】
本実施の形態に係る空調システムによれば、制御部４７０が、スイッチＳＷＹ１（ＳＷＹ２）またはスイッチＳＷＷ１（ＳＷＷ２）のオンオフ状態が切り替わるときの室内温度Ｔ２に基づいて、空調制御装置３００の設定温度Ｔｓおよび許容幅△Ｔ１を推定する。これにより、制御部４７０は、空調制御装置３００と通信して、空調制御装置３００から設定温度Ｔｓおよび許容幅△Ｔ１を示す情報を受信する必要がないので、空調制御装置３００として情報通信機能を持たないものを採用できる。
【０１５９】
本実施の形態に係る空調システムによれば、接続装置４００は、一定の時間間隔で、吸込温度ＴＡおよび室内温度Ｔ２を取得して、推定設定温度Ｔｓｓと、取得した吸込温度ＴＡおよび室内温度Ｔ２とに基づいて、設定温度Ｔｓ２を算出して室外機２００へ送信する。これにより、室外機２００の制御部２４０は、設定温度Ｔｓ２を受信する毎に、圧縮機２２０の回転数を、受信した設定温度Ｔｓ２に応じた最適な回転数に変更することができる。従って、圧縮機２２０の効率向上を図ることができる。
【０１６０】
ところで、比較例に係る空調システムとして、図１４に示すように、空調制御装置３００が、インバータが搭載されていない空調機１１００に接続された構成が挙げられる。この構成では、空調機１１００の信号線Ｒ１０１が、信号出力部３７０のＹ１端子に接続され、空調機１１００の接地線ＧＬが、電源入力部３５０のＣ端子（コモン端子）に電気的に接続されている。
【０１６１】
この比較例では、図１５に示すように、圧縮機２２０は、空調制御装置３００のスイッチＳＷＹ１（ＳＷＹ２）のオンオフに応じて、一定の回転数Ｒ０での動作と停止とを繰り返す。すると、図１５に示すように、本実施形態に係る空調機制御システムに比べて、室内温度Ｔ１の変動が大きく、室内温度Ｔ１が安定するまでに時間を要する。
【０１６２】
これに対して、本実施の形態に係る空調システムでは、接続装置４００が、定期的に算出した室内温度差△Ｔ２に応じて、設定温度Ｔｓ２を適宜変更する。そして、制御部２４０は、吸込温度ＴＡと、設定温度Ｔｓ２との温度差に基づいて、圧縮機２２０の回転数を変化させる。即ち、制御部２４０が、設定温度Ｔｓ２が変更される毎に、圧縮機２２０の回転数を、変更後の設定温度Ｔｓ２に応じた最適な回転数に変更する。これにより、室内温度Ｔ２（Ｔ１）を比較的短時間で安定させることができる。
【０１６３】
本実施の形態に係る空調機制御システムによれば、接続装置４００は、室内温度Ｔ２が安定した後、スイッチＳＷＹ１（ＳＷＹ２）またはスイッチＳＷＷ１（ＳＷＷ２）のオフ状態を検知したとする。このとき、接続装置４００は、室内温度Ｔ２と、既に記憶部４８０に記憶されている室内温度下限値Ｔｔｈ（Ｌ）または室内温度上限値Ｔｔｈ（Ｈ）との差分絶対値と、推定許容幅△Ｔ２とを比較する。そして、接続装置４００は、差分絶対値が推定許容幅△Ｔｔｈ以上の場合、取得した室内温度Ｔ２を新たな室内温度下限値Ｔｔｈ（Ｌ）または室内温度上限値Ｔｔｈ（Ｈ）と推定して、再度推定設定温度Ｔｓｓを推定する。これにより、室内温度Ｔ２が安定した後に、空調制御装置３００において設定温度Ｔｓが変更された場合でも、これを検知して新たに推定設定温度Ｔｓｓを推定することができる。また、差分絶対値が推定許容幅△Ｔ２よりも小さい場合、室内温度Ｔ２の変動が、部屋の温度環境の変化に起因したものであり、差分絶対値が推定許容幅△Ｔ２以上の場合、室内温度Ｔ２の変動が、空調制御装置３００における設定温度Ｔｓの変更に起因したものと判別できる。
【０１６４】
また、本実施の形態に係る空調機制御システムによれば、室内温度Ｔ２が安定すると、吸込温度ＴＡに推定許容幅△Ｔ２を加算または差し引くことにより、設定温度Ｔｓ２を算出して室外機２００へ送信する。これにより、設定温度Ｔｓ２を算出する処理を簡素化できるので、制御部４７０の処理負荷の軽減を図ることができる。
【０１６５】
本実施の形態に係る空調システムによれば、接続装置４００は、室内温度Ｔ２が安定すると、一定の時間間隔で吸込温度ＴＡおよび室内温度Ｔ２を取得することを停止する。これにより、室内温度Ｔ２が安定した後における制御部４７０の処理負荷の軽減を図ることができる。
【０１６６】
また、制御部４７０は、室内温度差△Ｔ２の絶対値｜△Ｔ２｜が予め定めた値に収まったときから一定の判定基準時間だけ経過したときに、室内温度Ｔ２が安定したと判定する。これにより、比較的容易に安定したと判定する基準を変更できる。
【０１６７】
以上、本発明の実施の形態について説明したが、本発明は実施の形態によって限定されるものではない。
【０１６８】
本実施の形態において、例えば図１６に示すように、建物が複数の部屋を有する場合、温度計測装置５００を、複数の部屋それぞれに設置し、制御部４７０が、各温度計測装置５００から取得した室内温度に基づいて、推定設定温度Ｔｓｓおよび推定許容幅△Ｔｔｈを推定してもよい。この場合、制御部４７０は、例えば各温度計測装置５００から取得した室内温度の平均値を用いるものであってもよい。
【０１６９】
本構成によれば、建物が複数の部屋を有する場合、複数の部屋全ての室内温度を考慮して、空調機の動作を制御することができる。
【０１７０】
また、前述の変形例において、制御部４７０は、各温度計測装置５００から取得した複数の室内温度Ｔ２のメジアンを用いるものであってもよい。そして、複数の室内温度Ｔ２のうちメジアンから大きく外れるものに対応する温度計測装置５００は、室内温度Ｔ２の取得対象から除外するようにしてもよい。例えば、空調の対象となっていない部屋に設置された温度計測装置５００から取得した室内温度Ｔ２は、メジアンから大きく外れる場合がある。
【０１７１】
本変形例に係る接続装置４００の制御部４７０の室内温度取得処理を、図１７を参照しながら説明する。ここでは、図１６に示すように、建物が５つの部屋を有し、温度計測装置５００が５つの部屋それぞれに設置されているものとする。まず、制御部４７０は、各温度計測装置５００から室内温度Ｔ２（ｊ）（ｊ＝０、１、・・・、４）を取得する（ステップＳ８０１）。制御部４７０は、室内温度Ｔ２（ｊ）の取得対象である複数の温度計測装置５００それぞれを識別番号ｊで管理している。制御部４７０は、取得した室内温度Ｔ２（ｊ）を識別番号ｊと対応づける。次に、制御部４７０は、取得した室内温度Ｔ２（ｊ）のメジアンＴ２Ｍを算出する（ステップＳ８０２）。続いて、制御部４７０は、識別番号ｊが「０」の温度計測装置５００から取得した室内温度Ｔ２（０）を特定する（ステップＳ８０３）。その後、制御部４７０は、特定した室内温度Ｔ２（ｊ）とメジアンＴ２Ｍとの差分絶対値が差分絶対値閾値△Ｔ２２より小さいか否かを判定する（ステップＳ８０４）。差分絶対値閾値△Ｔ２２は、例えば空調の対象となる部屋と空調の対象となっていない部屋との温度差の経験則に基づいて設定することができる。
【０１７２】
ステップＳ８０４において、上記差分絶対値が閾値△Ｔ２２以上であると判定されると（ステップＳ８０４：Ｎｏ）、制御部４７０は、特定した室内温度Ｔ２（ｊ）に対応する温度計測装置５００を、室内温度Ｔ２の取得対象から除外する（ステップＳ８０５）。そして、制御部４７０は、識別番号ｊが温度計測装置５００の総数Ｊよりも１だけ小さい値（Ｊ−１）よりも小さいか否かを判定する（ステップＳ８０６）。一方、ステップＳ８０４において、上記差分絶対値が閾値△Ｔ２２よりも小さいと判定されると（ステップＳ８０４：Ｙｅｓ）、制御部４７０は、そのままステップＳ８０６の処理を行う。ステップＳ８０６において、識別番号ｊが（Ｊ−１）よりも小さい場合（ステップＳ８０６：Ｙｅｓ）、制御部４７０は、識別番号ｊを１だけインクリメントして（ステップＳ８０７）、再びステップＳ８０４の処理を行う。一方、ステップＳ８０６において、識別番号ｊが（Ｊ−１）以上である場合（ステップＳ８０６：Ｎｏ）、空調機制御処理に戻る。
【０１７３】
本構成によれば、空調の対象となっていない部屋等に設置された温度計測装置５００を、室内温度Ｔ２の取得対象から除外することができるので、空調の対象となっている部屋等の空調を的確に実施することができる。
【０１７４】
例えば、本実施の形態に係る空調機制御処理において、室内温度Ｔ２が安定したと判定された後においても、制御部４７０が、引き続き設定温度Ｔｓ２を定期的に更新するようにしてもよい。
【０１７５】
本変形例に係る接続装置４００の制御部４７０の空調機制御処理の一部を、図１８を参照しながら説明する。ここでは、制御部４７０が、空調機を冷房モードで動作させる場合について説明する。なお、図１８は、図９に示す処理と同じ処理については同一の符号を付している。
【０１７６】
制御部４７０は、図６および図８に示すステップＳ２０１からステップＳ２２６までの処理を行う。そして、制御部４７０は、安定判定時刻が到来したと判定すると（図８のステップＳ２２１またはステップＳ２２５）、図１８に示すステップＳ６０１の処理を行う。ステップＳ６０１において、設定温度更新時刻が到来したと判定されると（ステップＳ６０１：Ｙｅｓ）、制御部４７０は、室内温度Ｔ２を取得する（ステップＳ６１５）。その後、制御部４７０は、推定設定温度Ｔｓｓから取得した室内温度を差し引いて得られる室内温度差△Ｔ２を算出する（ステップＳ６１６）。
【０１７７】
次に、制御部４７０が、室内機１００から吸込温度ＴＡを取得する（ステップＳ６１７）。続いて、制御部４７０は、室内温度差△Ｔ２と、取得した吸込温度ＴＡとの和を設定温度Ｔｓ２として算出する（ステップＳ６１８）。その後、制御部４７０は、算出した設定温度Ｔｓ２を室内機１００へ送信してから（ステップＳ６１９）、再びステップＳ６０１の処理を行う。図１９に示すように、時刻ｔ２１５で安定判定時刻が到来したと判定された後において、制御部４７０は、設定温度更新時刻の計時を継続する。設定温度更新時刻（例えば時刻ｔ２１６、ｔ２１７、ｔ２１８、ｔ２１９）が到来する毎に、制御部４７０から室外機２００へ設定温度Ｔｓ２が送信される。
【０１７８】
一方、ステップＳ６０１において、設定温度更新時刻が到来していないと判定されると（ステップＳ６０１：Ｎｏ）、制御部４７０は、ステップＳ３０２からステップＳ３１４の処理を行う。図１９に示すように、時刻ｔ２１８において、例えば部屋の温度環境の変化により、室内温度Ｔ１（Ｔ２）が設定温度Ｔｓよりも許容幅△Ｔ１だけ低い温度（室内温度下限値Ｔｔｈ（Ｌ））を下回ったとする。この場合、空調制御装置３００の制御部３９０は、スイッチＳＷＹ１（スイッチＳＷＹ２）をオフする。すると、制御部４７０は、設定温度Ｔｓ２を、取得した吸込温度ＴＡに推定許容幅△Ｔｔｈを加算した値へ更新する。
【０１７９】
本構成によれば、制御部４７０は、室内温度Ｔ２が安定した後においても、定期的に、室内温度差△Ｔ２に基づく最適な設定温度Ｔｓ２を室外機２００へ送信する。そして、制御部２４０が、設定温度Ｔｓ２を受信する毎に、圧縮機２２０の回転数を、受信した設定温度Ｔｓ２に応じた回転数に適宜変更する。これにより、室内温度Ｔ２が安定した後においても、制御部２４０は、圧縮機２２０を比較的効率よく動作させることができるので、圧縮機２２０での消費電力の低減を図ることができる。
【０１８０】
また、図１８を用いて説明した変形例に係る空調機制御処理において、空調機が冷房モードで動作しており、室内温度Ｔ２が安定したと判定された後において、室内温度Ｔ２が室内温度下限値Ｔｔｈ（Ｌ）を下回ると、制御部４７０が直ちに空調機の動作を停止させるようにしてもよい。或いは、図１８を用いて説明した変形例に係る空調機制御処理において、空調機が暖房モードで動作しており、室内温度Ｔ２が安定したと判定された後において、室内温度Ｔ２が室内温度下限値Ｔｔｈ（Ｌ）を下回ると、制御部４７０が直ちに空調機の動作を停止させるようにしてもよい。
【０１８１】
本変形例に係る接続装置４００の制御部４７０の空調機制御処理の一部を、図２０を参照しながら説明する。ここでは、制御部４７０が、空調機を冷房モードで動作させる場合について説明する。なお、図２０では、図９および図１８に示す処理と同じ処理については同一の符号が付されている。制御部４７０は、図６および図８に示すステップＳ２０１からステップＳ２２６までの処理を行う。そして、制御部４７０は、安定判定時刻が到来したと判定すると（図８のステップＳ２２１またはステップＳ２２５）、図１８に示すステップＳ６０１の処理を行う。
【０１８２】
次に、制御部４７０は、図２０に示すように、室内温度Ｔ２を取得してから（ステップＳ３０２）、スイッチＳＷＹ１（スイッチＳＷＹ２）のオフを検知したか否かを判定する（ステップＳ３０３）。ステップＳ３０３において、スイッチＳＷＹ１（スイッチＳＷＹ２）のオフを検知しない場合（ステップＳ３０３：Ｎｏ）、制御部４７０は、ステップＳ３１１の処理を行う。一方、ステップＳ３０３において、スイッチＳＷＹ１（スイッチＳＷＹ２）のオフを検知すると（ステップＳ３０３：Ｙｅｓ）、制御部４７０は、室内機１００から吸込温度ＴＡを取得する（ステップＳ７０３）。続いて、制御部４７０は、室内機１００へ冷房モード動作停止コマンドを送信する（ステップＳ７０４）。図２１に示すように、室内温度Ｔ２が安定したと判定された後の時刻ｔ３０１において、例えば部屋の温度環境の変化により、室内温度Ｔ１（Ｔ２）が設定温度Ｔｓよりも許容幅△Ｔ１だけ低い温度（室内温度下限値Ｔｔｈ（Ｌ））を下回ると、空調制御装置３００の制御部３９０は、スイッチＳＷＹ１（スイッチＳＷＹ２）をオフする。すると、制御部４７０から室外機２００へ冷房モード動作停止コマンドが入力され（ステップＳ７０４）、制御部２４０は、圧縮機２２０を停止させる。
【０１８３】
図２０に戻って、その後、制御部４７０は、記憶部４８０に記憶されている室内温度下限値Ｔｔｈ（Ｌ）と取得した室内温度Ｔ２との差分絶対値が推定許容幅△Ｔｔｈよりも大きいか否かを判定する（ステップＳ３０４）。差分絶対値が推定許容幅△Ｔｔｈよりも大きいと判定されると（ステップＳ３０４：Ｙｅｓ）、制御部４７０は、取得した室内温度Ｔ２を、室内温度下限値Ｔｔｈ（Ｌ）として記憶部４８０に記憶させてから（ステップＳ３０９）、図６のステップＳ２０６の処理を行う。一方、差分絶対値が推定許容幅△Ｔｔｈ以下と判定されると（ステップＳ３０４：Ｎｏ）、制御部４７０は、設定温度Ｔｓ２を算出し（ステップＳ３０６）、算出した設定温度Ｔｓ２を、室内機１００へ送信する（ステップＳ３０７）。次に、制御部４７０は、スイッチＳＷＹ１（スイッチＳＷＹ２）のオンを検知したか否かを判定する（ステップＳ７１５）。ここで、制御部４７０は、スイッチＳＷＹ１（スイッチＳＷＹ２）のオンを検知しない限り（ステップＳ７１５：Ｎｏ）、待機状態を維持する。また、制御部４７０は、待機状態において、設定温度更新時刻が到来しても設定温度Ｔｓ２の更新を行わない。図２１に示すように、時刻ｔ３０２において、設定温度更新時刻が到来しても、設定温度Ｔｓ２の更新は行わない。
【０１８４】
ステップＳ７１５において、スイッチＳＷＹ１（スイッチＳＷＹ２）のオンが検知されると（ステップＳ７１５：Ｙｅｓ）、制御部４７０は、室内機１００へ冷房モード動作開始コマンドを送信した後（ステップＳ７１６）、再びステップＳ３０１の処理を行う。図２１に示すように、室内温度Ｔ２が安定したと判定された後の時刻ｔ３０３において、室内温度Ｔ１（Ｔ２）が設定温度Ｔｓよりも許容幅△Ｔ１だけ高い温度（室内温度上限値Ｔｔｈ（Ｈ））を上回ると、空調制御装置３００の制御部３９０は、スイッチＳＷＹ１（スイッチＳＷＹ２）をオンする。すると、制御部４７０から室外機２００へ冷房モード動作開始コマンドが入力され、制御部２４０は、再び圧縮機２２０を動作させる。
【０１８５】
本構成によれば、室内温度Ｔ２が安定したと判定された後において、制御部２４０は、適宜圧縮機２２０を停止させる。これにより、圧縮機２２０での消費電力の低減を図ることができる。
【０１８６】
また、本実施の形態において、室外機２００が、外気温度Ｔｏｕｔを計測するとともに、計測した外気温度Ｔｏｕｔを示す情報を、接続装置４００へ送信する外気温度計測部（図示せず）を備えていてもよい。ここで、外気温度計測部は、外気温度Ｔｏｕｔを、例えば通信Ｉ／Ｆ部２６０、通信線Ｌ１０、通信Ｉ／Ｆ部１３０および通信線Ｌ２０を通じて、接続装置４００へ送信する。そして、制御部４７０が、室外機２００から受信した外気温度Ｔｏｕｔと、室内機１００から受信した吸込温度ＴＡとの温度差絶対値｜Ｔｏｕｔ−ＴＡ｜に基づいて、圧縮機２２０の回転数の補正係数を算出して、室外機２００へ送信するようにしてもよい。
【０１８７】
例えば、圧縮機２２０の回転数をＲ、設定温度Ｔｓ２に基づいて圧縮機２２０の回転数を算出する式をｆ（Ｔｓ２）、外気温度Ｔｏｕｔと吸込温度ＴＡとの温度差絶対値｜Ｔｏｕｔ−ＴＡ｜に基づく補正係数をＣ１（｜Ｔｏｕｔ−ＴＡ｜）とする。この場合、以下の式（１）の関係式が成立するようにすればよい。
【０１８８】
Ｒ＝Ｃ１（｜Ｔｏｕｔ−ＴＡ｜）×ｆ（Ｔｓ２）・・・式（１）
ここで、補正係数Ｃ（｜Ｔｏｕｔ−ＴＡ｜）は、例えば、外気温度Ｔｏｕｔと室内機１００の吸込温度ＴＡとの温度差絶対値｜Ｔｏｕｔ−ＴＡ｜が大きくなるについて小さくなる依存性を有する。
【０１８９】
なお、補正係数Ｃ１（｜Ｔｏｕｔ−ＴＡ｜）は、例えば記憶部４８０に記憶された、補正係数Ｃ１（｜Ｔｏｕｔ−ＴＡ｜）と温度差絶対値｜Ｔｏｕｔ−ＴＡ｜との関係を示すルックアップテーブル（図示せず）に基づいて決定されるものであってもよい。
【０１９０】
また、制御部４７０は、圧縮機２２０の回転数の補正係数を、例えば図８または図１２に示す空調機制御処理のステップＳ２１８において、設定温度Ｔｓ２とともに室外機２００へ送信してもよい。
【０１９１】
ところで、冷媒配管Ｄ１０を流れる冷媒の流量が同一であっても、熱交換器２１０の周囲温度（外気温度Ｔｏｕｔ）と、熱交換器１１０の周囲温度（吸込温度ＴＡ）との温度差絶対値が異なると、冷房の強度または暖房の強度が異なってくる。例えば、吸込温度ＴＡと外気温度Ｔｏｕｔとの温度差絶対値が比較的大きい場合、冷媒の流量が比較的小さくても十分な冷房の強度または暖房の強度が得られる。
【０１９２】
これに対して、本構成によれば、制御部２４０が、接続装置４００から受信した、外気温度Ｔｏｕｔと吸込温度ＴＡとの温度差絶対値に基づく補正係数を利用して、圧縮機２２０の回転数を設定する。従って、例えば、吸込温度ＴＡと外気温度Ｔｏｕｔとの温度差絶対値が比較的大きい場合、制御部２４０は、圧縮機２２０の回転数を比較的低く設定する。これにより、圧縮機２２０の回転数が、外気温度Ｔｏｕｔと吸込温度ＴＡとの温度差絶対値に基づいて比較的小さく設定されるので、圧縮機２２０での消費電力の低減を図ることができる。
【０１９３】
本実施の形態において、例えば、電源部３６０が、制御部３９０のみならず、表示部３２０および記憶部３４０へ直流電力を供給するものであってもよい。
【０１９４】
本実施の形態において、通信Ｉ／Ｆ部４５０は、室外機２００の通信Ｉ／Ｆ部２６０と通信線を介して直接接続されるものであってもよい。
【０１９５】
本実施の形態において、電源部４６０は、電源入力部４３０以外から交流電力の供給を受ける構成であってもよい。例えば、通信Ｉ／Ｆ部４５０に電源供給線が設けられている場合、電源部４６０は、通信Ｉ／Ｆ部４５０に設けられた電源供給線から交流電力の給電を受けてもよい。
【０１９６】
本実施の形態において、設定温度Ｔｓ２を記憶する設定温度記憶部２５０が、室内機１００に設けられていてもよい。或いは、設定温度記憶部２５０が、室内機１００および室外機２００の両方に設けられていてもよい。また、設定温度Ｔｓ２の初期値は、例えば空調制御装置３００とは異なる他の空調機用リモコンから設定できるものであってもよい。
【０１９７】
また、本発明に係る空調制御装置３００または接続装置４００は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭ等）に格納して配布し、当該プログラムをコンピュータシステムにインストールすることにより、上述の処理を実行する空調制御装置３００または接続装置４００を構成してもよい。
【０１９８】
また、コンピュータにプログラムを提供する方法は任意である。例えば、プログラムは、通信回線の掲示版（ＢＢＳ）にアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行する空調制御装置３００または接続装置４００として機能する。
【０１９９】
本発明は、本発明の広義の精神と範囲を逸脱することなく、様々な実施形態及び変形が可能とされるものである。また、上述した実施形態および変形例は、本発明を説明するためのものであり、本発明の範囲を限定するものではない。つまり、本発明の範囲は、実施形態または変形例ではなく、請求の範囲によって示される。そして、請求の範囲内およびそれと同等の発明の意義の範囲内で施される様々な変形が、本発明の範囲内とみなされる。
【産業上の利用可能性】
【０２００】
本発明は、床下、天井裏、屋外等に空調機を設置し、この空調機から、ダクトを通じて各部屋に空気を送る空調方式を採用する空調機制御システム、接続装置および空調機制御方法などに好適に利用することができる。
【符号の説明】
【０２０１】
１００  室内機、１１０  熱交換器、１２０  温度計測部、１３０、２６０、４５０  通信Ｉ／Ｆ部、２００  室外機、２１０  熱交換器、２２０  圧縮機、２３０  流れ方向変更部、２４０、３９０、４７０  制御部、２５０  設定温度記憶部、３００  空調制御装置、３１０  操作部、３２０  表示部、３３０  温度計測部、３４０、４８０  記憶部、３５０、４３０  電源入力部、３６０、４６０  電源部、３７０  信号出力部、３８０  スイッチアレイ部、４００  接続装置、４１０  信号入力部、４２０  電源出力部、４４０  温度入力部、５００  温度計測装置、１０００  外部電源、Ｄ１０  冷媒配管、Ｄ２０  ダクト、Ｌ１０,Ｌ２０,Ｌ３０  通信線、ＰＬ０,ＰＬ１０  電源線、Ｒ１０、ＳＬ１０  信号線
【図１】
2016059671.tif 000003
【図２】
2016059671.tif 000004
【図３】
2016059671.tif 000005
【図４】
2016059671.tif 000006
【図５】
2016059671.tif 000007
【図６】
2016059671.tif 000008
【図７】
2016059671.tif 000009
【図８】
2016059671.tif 000010
【図９】
2016059671.tif 000011
【図１０】
2016059671.tif 000012
【図１１】
2016059671.tif 000013
【図１２】
2016059671.tif 000014
【図１３】
2016059671.tif 000015
【図１４】
2016059671.tif 000016
【図１５】
2016059671.tif 000017
【図１６】
2016059671.tif 000018
【図１７】
2016059671.tif 000019
【図１８】
2016059671.tif 000020
【図１９】
2016059671.tif 000021
【図２０】
2016059671.tif 000022
【図２１】
2016059671.tif 000023
【手続補正書】
【提出日】平成28年11月14日(2016.11.14)
【手続補正１】
【補正対象書類名】明細書
【補正対象項目名】０００９
【補正方法】変更
【補正の内容】
【０００９】
上記目的を達成するために、本発明に係る空調機制御システムは、
室内機が設置された空間の第１空気温度を計測する温度計測部を有し、前記計測した第１空気温度と、記憶する第１設定温度とに基づいて、前記室内機からダクトを通じて、空調の対象となる空調空間へ空気を送ることにより前記空調空間の空調を行う空調機と、
前記空調空間の第２空気温度を計測する温度計測部と、前記計測された第２空気温度と、ユーザにより設定されたユーザ設定温度とに基づいて、信号出力のオンオフ状態を切り替える制御部とを備える空調制御装置と、
前記空調空間の第３空気温度を計測する温度計測装置と、
前記空調機と通信可能に接続され且つ前記空調制御装置と信号線を介して接続されるとともに、前記温度計測装置に通信可能に接続された接続装置と、を備え、
前記接続装置は、
前記信号線を通じて検知した前記空調制御装置の信号出力のオンオフ状態と、前記温度計測装置から取得した前記第３空気温度とに基づいて前記ユーザ設定温度を推定し、
前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信し、
前記空調機は、
前記第１設定温度を前記接続装置から受信した前記第２設定温度に更新する。
【手続補正２】
【補正対象書類名】特許請求の範囲
【補正対象項目名】全文
【補正方法】変更
【補正の内容】
【特許請求の範囲】
【請求項１】
室内機が設置された空間の第１空気温度を計測する温度計測部を有し、前記計測した第１空気温度と、記憶する第１設定温度とに基づいて、前記室内機からダクトを通じて、空調の対象となる空調空間へ空気を送ることにより前記空調空間の空調を行う空調機と、
前記空調空間の第２空気温度を計測する温度計測部と、前記計測された第２空気温度と、ユーザにより設定されたユーザ設定温度とに基づいて、信号出力のオンオフ状態を切り替える制御部とを備える空調制御装置と、
前記空調空間の第３空気温度を計測する温度計測装置と、
前記空調機と通信可能に接続され且つ前記空調制御装置と信号線を介して接続されるとともに、前記温度計測装置に通信可能に接続された接続装置と、を備え、
前記接続装置は、
前記信号線を通じて検知した前記空調制御装置の信号出力のオンオフ状態と、前記温度計測装置から取得した前記第３空気温度とに基づいて前記ユーザ設定温度を推定し、
前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信し、
前記空調機は、
前記第１設定温度を前記接続装置から受信した前記第２設定温度に更新する、
空調機制御システム。
【請求項２】
前記空調機が冷房モードで動作している場合、
前記空調制御装置の前記制御部は、
前記信号出力がオン状態の際、前記第２空気温度が、前記ユーザ設定温度よりも予め定めた許容幅だけ低い空気温度下限値よりも高い温度から前記空気温度下限値よりも低い温度に変化したときに前記信号出力をオフ状態に切り替え、
前記信号出力がオフ状態の際、前記第２空気温度が、前記ユーザ設定温度よりも前記許容幅だけ高い空気温度上限値よりも低い温度から前記空気温度上限値よりも高い温度に変化したときに前記信号出力をオン状態に切り替え、
前記接続装置は、
前記空調制御装置の信号出力がオン状態からオフ状態に切り替わったことを検知したときに、前記温度計測装置から取得した前記第３空気温度を前記空気温度下限値と推定し、
前記信号出力がオフ状態からオン状態に切り替わったことを検知したときに、前記温度計測装置から取得した前記第３空気温度を前記空気温度上限値と推定し、
推定した前記空気温度下限値および前記空気温度上限値の平均値を前記ユーザ設定温度と推定し、
前記空調機から取得した前記第１空気温度に、前記推定したユーザ設定温度から前記第３空気温度を差し引いて得られる温度差を加算することにより前記第２設定温度を算出する、
請求項１に記載の空調機制御システム。
【請求項３】
前記空調機が暖房モードで動作している場合、
前記空調制御装置の前記制御部は、
前記信号出力がオン状態の際、前記第２空気温度が、前記ユーザ設定温度よりも予め定めた許容幅だけ高い空気温度上限値よりも低い温度から前記空気温度上限値よりも高い温度に変化したときに前記信号出力をオフ状態に切り替え、
前記信号出力がオフ状態の際、前記第２空気温度が、前記ユーザ設定温度よりも前記許容幅だけ低い空気温度下限値よりも高い温度から前記空気温度下限値よりも低い温度に変化したときに前記信号出力をオン状態に切り替え、
前記接続装置は、
前記空調制御装置の信号出力がオン状態からオフ状態に切り替わったことを検知したときに、前記温度計測装置から取得した前記第３空気温度を前記空気温度上限値と推定し、
前記信号出力がオフ状態からオン状態に切り替わったことを検知したときに、前記温度計測装置から取得した前記第３空気温度を前記空気温度下限値と推定し、
推定した前記空気温度下限値および前記空気温度上限値の平均値を前記ユーザ設定温度と推定し、
前記空調機から取得した前記第１空気温度に、前記推定したユーザ設定温度から前記第３空気温度を差し引いて得られる温度差を加算することにより前記第２設定温度を算出する、
請求項１または２に記載の空調機制御システム。
【請求項４】
前記接続装置は、
一定の時間間隔で、前記空調機から前記第１空気温度を取得するとともに、前記温度計測装置から前記第３空気温度を取得し、
前記第１空気温度および前記第３空気温度を取得する毎に、前記推定したユーザ設定温度と、取得した前記第１空気温度および前記第３空気温度とに基づいて、前記第２設定温度を算出し、算出した前記第２設定温度を前記空調機へ送信する、
請求項２または３に記載の空調機制御システム。
【請求項５】
前記空調機が、冷房モードで動作している場合、
前記接続装置は、
前記推定した空気温度下限値と、前記推定したユーザ設定温度との温度差の絶対値を前記許容幅として推定し、
前記第３空気温度が安定したと判定すると、前記空調制御装置の信号出力のオフ状態を検知した際、前記温度計測装置から取得した前記第３空気温度と前記推定した空気温度下限値との差分の絶対値と、前記推定した許容幅とを比較し、
前記差分の絶対値が前記推定した許容幅よりも小さいとき、前記空調機から前記第１空気温度を取得し、取得した前記第１空気温度に前記推定した許容幅を加算することにより、前記第２設定温度を算出し、算出した前記第２設定温度を前記空調機へ送信し、
前記差分の絶対値が前記推定した許容幅以上であるとき、取得した前記第３空気温度を前記空気温度下限値と推定して、再度ユーザ設定温度を推定する、
請求項４に記載の空調機制御システム。
【請求項６】
前記空調機が、暖房モードで動作している場合、
前記接続装置は、
前記推定した空気温度上限値と、前記推定したユーザ設定温度との温度差の絶対値を前記許容幅として推定し、
前記第３空気温度が安定したと判定すると、前記空調制御装置の信号出力のオフ状態を検知した際、前記温度計測装置から取得した前記第３空気温度と前記空気温度上限値との差分の絶対値と、前記推定した許容幅とを比較し、
前記差分の絶対値が前記推定した許容幅よりも小さいとき、前記空調機から前記第１空気温度を取得し、取得した前記第１空気温度に前記推定した許容幅を差し引くことにより、前記第２設定温度を算出し、算出した前記第２設定温度を前記空調機へ送信し、
前記差分の絶対値が前記推定した許容幅以上であるとき、取得した前記第３空気温度を前記空気温度上限値と推定して、再度ユーザ設定温度を推定する、
請求項４または５に記載の空調機制御システム。
【請求項７】
前記接続装置は、
前記第３空気温度が安定したと判定すると、一定の時間間隔で、前記第１空気温度および前記第３空気温度を取得することを停止する、
請求項５または６に記載の空調機制御システム。
【請求項８】
前記接続装置は、
前記推定したユーザ設定温度と前記第３空気温度との差分の絶対値が予め定めた閾値よりも小さくなったときから一定の判定基準時間だけ経過したときに、前記第３空気温度が安定したと判定する、
請求項５から７のいずれか１項に記載の空調機制御システム。
【請求項９】
前記空調機は、
圧縮機と、
前記第１空気温度と、前記第１設定温度との温度差に基づいて、前記圧縮機の回転数を変化させることにより、前記第１空気温度を前記第１設定温度で維持する圧縮機制御部と、を備える、
請求項１から８のいずれか１項に記載の空調機制御システム。
【請求項１０】
前記温度計測装置は、複数存在し、
前記接続装置は、
複数の前記温度計測装置それぞれから取得した温度の平均値またはメジアンを前記第３空気温度として算出する、
請求項１から９のいずれか１項に記載の空調機制御システム。
【請求項１１】
室内機が設置された空間の第１空気温度を計測する温度計測部を有し、前記計測した第１空気温度と、記憶する第１設定温度とに基づいて、前記室内機からダクトを通じて、空調の対象となる空調空間へ空気を送ることにより前記空調空間の空調を行う空調機に通信可能に接続され、且つ、前記空調空間の第２空気温度を計測する温度計測部と、前記計測された第２空気温度と、ユーザにより設定されたユーザ設定温度とに基づいて、信号出力のオンオフ状態を切り替える制御部とを備える空調制御装置に信号線を介して接続されるとともに、前記空調空間の第３空気温度を計測する温度計測装置に通信可能に接続された接続装置であって、
前記信号線を通じて検知した前記空調制御装置の信号出力のオンオフ状態と、前記温度計測装置から取得した前記第３空気温度とに基づいて前記ユーザ設定温度を推定し、
前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信する、
接続装置。
【請求項１２】
空調機が、室内機が設置された空間の第１空気温度を計測し、前記計測した第１空気温度と、記憶する第１設定温度とに基づいて、前記室内機からダクトを通じて、空調の対象となる空調空間へ空気を送ることにより前記空調空間の空調を行い、
空調制御装置が、前記空調空間の第２空気温度を計測し、前記計測した第２空気温度と、ユーザにより設定されたユーザ設定温度とに基づいて、信号出力のオンオフ状態を切り替え、
温度計測装置が前記空調空間の第３空気温度を計測し、
接続装置が、信号線を通じて検知した前記空調制御装置の信号出力のオンオフ状態と、前記温度計測装置から取得した前記第３空気温度とに基づいて前記ユーザ設定温度を推定し、前記空調機から取得した前記第１空気温度と、前記推定したユーザ設定温度と前記温度計測装置から取得した第３空気温度との温度差とに基づいて第２設定温度を算出し、算出した第２設定温度を前記空調機へ送信し、
前記空調機が、前記第１設定温度を前記接続装置から受信した前記第２設定温度に更新する、空調機制御方法。
【国際調査報告】
2016059671.tif 000024
2016059671.tif 000025